(57)【要約】【課題】  撮影画像を確認するためのクイックレビュー表示の有無を設定することができるようにする。【解決手段】  記録手段２００，２１０は、姿勢検知手段１０６にて検知された撮影時の本装置１００の姿勢状態を、影画像データと共に記録媒体に記録する。クイックレビュースイッチがオンされている場合、画像回転手段２０は、姿勢検知手段１０６にて検知された再生時の本装置１００の姿勢状態と、撮影画像データと共に記録されている撮影時姿勢状態とが合致するか否かの判定結果に基づき、撮影画像データが正しい方向で表示されるように撮影画像データに対して画像回転処理を行い、撮影直後のクリックレビュー表示を行う。【選択図】  図１
2005065339.tif 000002
【特許請求の範囲】
【請求項１】
撮像手段によって得られた撮影画像データの記録媒体に対する記録処理を行う画像処理装置であって、
前記画像処理装置の姿勢状態を検知する姿勢検知手段と、
前記姿勢検知手段により得られた撮影時の姿勢状態情報を、当該撮影によって得られた撮影画像データと共に前記記録媒体に記録する記録手段と、
前記撮影画像を確認するためのクイックレビュー表示の有無を設定する設定手段と、
前記設定手段によりクイックレビュー表示が設定されていた場合、撮影直後の所定時間の間、撮影画像を表示するよう制御する表示制御手段とを有することを特徴とする画像処理装置。
【請求項２】
前記表示制御手段は、前記記録媒体から読み込んだ画像を再生する際には、前記姿勢状態情報に応じて、読み込んだ画像を回転させて表示するよう制御することを特徴とする請求項１に記載の画像処理装置。
【請求項３】
前記表示制御手段は、クイックレビュー表示の際には、前記姿勢状態情報に関わらず、画像を回転させずに表示させるよう制御することを特徴とする請求項１に記載の画像処理装置。
【請求項４】
前記表示制御手段は、クイックレビュー表示の際には、前記画像を回転させて表示するよう制御することを特徴とする請求項１に記載の画像処理装置。
【請求項５】
前記姿勢検知手段は、前記撮像手段が縦構図撮影姿勢状態であるか横構図撮影姿勢状態であるかを少なくとも検知することを特徴とする請求項１に記載の画像処理装置。
【請求項６】
前記撮影画像データは、動画像データ及び静止画像データの少なくとも何れかを含むことを特徴とする請求項１に記載の画像処理装置。
【請求項７】
撮像手段によって得られた撮影画像データの記録媒体に対する記録処理を行う画像処理方法であって、
前記撮像手段の姿勢状態を検知する姿勢検知ステップと、
前記姿勢検知ステップにより得られた撮影時の姿勢状態情報を、当該撮影によって得られた撮影画像データと共に前記記録媒体に記録する記録ステップと、
前記撮影画像を確認するためのクイックレビュー表示の有無を設定する設定ステップと、
前記設定ステップによりクイックレビュー表示が設定されていた場合、撮影直後の所定時間の間、撮影画像を表示するよう制御する表示制御ステップとを有することを特徴とする画像処理方法。
【請求項８】
前記表示制御ステップは、前記記録媒体から読み込んだ画像を再生する際には、前記姿勢状態情報に応じて、読み込んだ画像を回転させて表示するよう制御することを特徴とする請求項７に記載の画像処理方法。
【請求項９】
前記表示制御ステップは、クイックレビュー表示の際には、前記姿勢状態情報に関わらず、画像を回転させずに表示させるよう制御することを特徴とする請求項７に記載の画像処理方法。
【請求項１０】
前記表示制御ステップは、クイックレビュー表示の際には、前記画像を回転させて表示するよう制御することを特徴とする請求項７に記載の画像処理方法。
【請求項１１】
前記姿勢検知ステップは、前記撮像手段が縦構図撮影姿勢状態であるか横構図撮影姿勢状態であるかを少なくとも検知することを特徴とする請求項７に記載の画像処理方法。
【請求項１２】
前記撮影画像データは、動画像データ及び静止画像データの少なくとも何れかを含むことを特徴とする請求項７に記載の画像処理方法。
【請求項１３】
前記請求項７〜１２の何れか１項に記載の画像処理方法のステップをコンピュータに実行させるためのコンピュータプログラムを記憶したことを特徴とするコンピュータ読み取り可能な記憶媒体。
【発明の詳細な説明】
【技術分野】
【０００１】
本発明は、例えば、静止画像や動画像を撮像、記録、再生するための画像処理装置、画像処理方法、画像処理システム、及びコンピュータ読み取り可能な記憶媒体に関するものである。
【背景技術】
【０００２】
従来より例えば、画像処理装置として、固体メモリ素子を有するメモリカードを記録媒体として、静止画像や動画像の記録や再生を行う電子カメラが既に市販されている。また、カラー液晶パネル等の電子ファインダーを備える電子カメラも既に販売されている。
これらの従来からの電子カメラによれば、撮影前の画像を連続して表示する機能により、使用者が撮影構図を決定することが可能であり、また、撮影した画像を再生して表示する機能により、使用者が撮影画像を確認することが可能である。
【０００３】
特に、レンズ交換が可能な電子カメラにおいては、電子カメラの使用者によって撮影目的に合わせて選択されたレンズに応じて、撮影前の画像を連続して表示する機能により、使用者が撮影構図を決定することが可能であり、或いは、撮影した画像を再生して表示する機能により、使用者が撮影画像を確認することが可能である。このような電子カメラの機能は、その使用者にとって有益な機能となっている。
【発明の開示】
【発明が解決しようとする課題】
【０００４】
しかしなら、上述したような電子カメラ等の画像処理装置においては、例えば、撮影時に本装置をほぼ９０°傾けて縦位置として撮影を行い、それにより得られた撮影画像を再生して、本装置を元の横位置として本装置背面に備えられた画像表示手段にて表示すると、画像の縦横が９０°異なってしまう。このため、使用者にとって、撮影画像を確認するのに非常に不便であるという問題があった。
【０００５】
そこで、上記の問題を解決するために、撮影画像に対して縦横の撮影方向を示すタグ情報を付加し、その撮影画像の再生時に、該撮影画像に付加されたタグ情報に応じて、該撮影画像の縦横の表示方向を合わせて再生して表示する方法が考えられる。
【０００６】
しかしながら、上記の方法では、撮影直後に撮影画像を確認する場合、当該撮影画像に対するタグ情報の付加（設定）が未だ行われていない状態であるため、当該撮影画像を再生して、画像処理装置背面に備えられた画像表示手段にて表示すると、上述した従来の画像処理装置と同様に、撮影画像の縦横が９０°異なってしまう。
【０００７】
また、一般的にディスプレイは横長であるので、例えば、電子カメラを縦向きにして撮影した画像を再生する場合に、上記のタグを利用し９０°回転させて表示させて、画面に入るように縮小すると、表示画像が小さくなり、とても見づらい場合が生じる。すなわち、使用者によっては、電子カメラを回転させて、大きな画像で確認したい場合も生じる。
【０００８】
上述のような場合を考慮すると、上記の方法であっても、使用者にとって、撮影画像を確認するのに非常に不便であり、単に撮影装置の撮影時の姿勢に応じて、画像を回転させるだけでは、十分に使い勝手のよい機能を提供できない。特に、従来の技術では、撮影画像を確認するためのクイックレビュー表示の有無を設定することができないために、十分に使い勝手のよい機能を提供できなかった。
本発明は、このような問題点に鑑みてなされたものであり、撮影画像を確認するためのクイックレビュー表示の有無を設定することができるようにすることを目的とする。
【課題を解決するための手段】
【０００９】
本発明の画像処理装置は、撮像手段によって得られた撮影画像データの記録媒体に対する記録処理を行う画像処理装置であって、前記画像処理装置の姿勢状態を検知する姿勢検知手段と、前記姿勢検知手段により得られた撮影時の姿勢状態情報を、当該撮影によって得られた撮影画像データと共に前記記録媒体に記録する記録手段と、前記撮影画像を確認するためのクイックレビュー表示の有無を設定する設定手段と、前記設定手段によりクイックレビュー表示が設定されていた場合、撮影直後の所定時間の間、撮影画像を表示するよう制御する表示制御手段とを有することを特徴とする。
【００１０】
本発明の画像処理方法は、撮像手段によって得られた撮影画像データの記録媒体に対する記録処理を行う画像処理方法であって、前記撮像手段の姿勢状態を検知する姿勢検知ステップと、前記姿勢検知ステップにより得られた撮影時の姿勢状態情報を、当該撮影によって得られた撮影画像データと共に前記記録媒体に記録する記録ステップと、前記撮影画像を確認するためのクイックレビュー表示の有無を設定する設定ステップと、前記設定ステップによりクイックレビュー表示が設定されていた場合、撮影直後の所定時間の間、撮影画像を表示するよう制御する表示制御ステップとを有することを特徴とする。
【００１１】
本発明のコンピュータ読み取り可能な記憶媒体は、前記記載の画像処理方法のステップをコンピュータに実行させるためのコンピュータプログラムを記憶したことを特徴とする。
【発明の効果】
【００１２】
本発明によれば、撮影画像を確認するためのクイックレビュー表示の有無を設定することができ、使い勝手のよい画像処理装置を提供することが可能になる。
【発明を実施するための最良の形態】
【００１３】
（第１の実施の形態）
本発明は、例えば、図１に示すような画像処理装置１００に適用される。
【００１４】
上記図１において、"１００"は画像処理装置本体であり、"１０"は撮影レンズ、"１２"は絞り機能を備えるシャッターである。"１４"は、光学像を電気信号に変換する撮像素子であり、"１６"は、撮像素子１４のアナログ信号出力をディジタル信号に変換するＡ／Ｄ変換器である。"１８"は、撮像素子１４、Ａ／Ｄ変換器１６、及び後述するＤ／Ａ変換器２６に対して、クロック信号や制御信号を供給するタイミング発生回路であり、後述するメモリ制御回路２２及びシステム制御回路５０によって制御される。
【００１５】
"２０"は、画像処理回路であり、Ａ／Ｄ変換器１６からのデータ或いはメモリ制御回路２２からのデータに対して、所定の画素補間処理や色変換処理等の画像処理を行う。また、この画像処理回路２０は、撮像して得られた画像データを用いて、所定の演算処理を行う。
したがって、詳細は後述するが、画像処理回路２０での上記の処理の演算処理の結果に基づいて、システム制御回路５０は、露光制御手段４０及び測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行うことになる。
【００１６】
また、画像処理回路２０は、撮像して得られた画像データを用いて、所定の演算処理を行い、その演算結果に基づいて、ＴＴＬ方式のＡＷＢ（オートホワイトバランス）処理も行うようになされている。
さらに、画像処理回路２０は、後述する画像の回転処理や変倍処理の制御も行うようになされている。
【００１７】
"２２"は、メモリ制御回路であり、Ａ／Ｄ変換器１６、タイミング発生回路１８、画像処理回路２０、後述する画像表示メモリ２４、Ｄ／Ａ変換器２６、メモリ３０、圧縮／伸長回路３２を制御する。
このメモリ制御回路２２の制御によって、Ａ／Ｄ変換器１６のデータが画像処理回路２０及びメモリ制御回路２２を介して、或いは、Ａ／Ｄ変換器１６のデータが直接メモリ制御回路２２を介して、画像表示メモリ２４或いはメモリ３０に書き込まれる。
【００１８】
"２４"は画像表示メモリであり、"２６"はＤ／Ａ変換器である。
"２８"は、ＴＦＴＬＣＤ等から成る画像表示部である。この画像表示部２８には、画像表示メモリ２４に書き込まれた表示用の画像データが、Ｄ／Ａ変換器２６を介して供給され、これを画面表示する。このような画像表示部２８によって、撮像して得られた画像データを逐次表示すれば、電子ファインダ機能を実現することが可能である。また、画像表示部２８は、システム制御回路５０が出力する指示によって、任意に表示をＯＮ／ＯＦＦすることが可能である。したがって、必要に応じて、画像表示部２８での表示をＯＮ／ＯＦＦすることで、画像処理装置１００の電力消費を大幅に低減することができる。
【００１９】
"３０"は、撮影して得られた画像データ（静止画像データや動画像データ）を格納するためのメモリであり、所定枚数の静止画像や所定時間の動画像を格納するのに十分な記憶容量を備えている。これにより、複数枚の静止画像を連続して撮影する連射撮影や、パノラマ撮影の場合等でも、高速且つ大量の画像書き込みを、メモリ３０に対して行うことが可能となる。
また、メモリ３０は、システム制御回路５０の作業領域としても使用することが可能となっている。
【００２０】
"３２"は、適応離散コサイン変換（ＡＤＣＴ）等により、画像データを圧縮或いは伸長する圧縮／伸長回路であり、メモリ３０に格納された画像データを読み込んで圧縮処理或いは伸長処理を行い、その処理後のデータをメモリ３０に書き込む。
【００２１】
"４０"は露光制御部であり、"４８"はフラッシュである。フラッシュ４８は、ＡＦ補助光の投光機能やフラッシュ調光機能を有するものである。露光制御部４０は、絞り機能を備えるシャッター１２を制御する手段であり、フラッシュ４８と連携することにより、フラッシュ調光機能も有するものである。
"４２"は、撮影レンズ１０のフォーカジシグを制御する測距制御部であり、"４４"は、撮影レンズ１０のズーミングを制御するズーム制御部である。
"４６"はバリア制御部であり、"１０２"はバリアである保護部である。バリア制御部４６は、保護部１０２の動作を制御する。
【００２２】
尚、露光制御手段４０及び測距制御手段４２は、上述したように、ＴＴＬ方式を用いて制御されており、画像処理回路２０での演算結果（撮像して得られた画像データに対して行われる所定の演算処理の結果）に基づいて、システム制御回路５０から制御される。
【００２３】
"５０"は、画像処理装置１００全体を制御するシステム制御回路であり、"５２"は、システム制御回路５０の動作用の定数、変数、プログラム等を記憶するメモリである。
【００２４】
"５４"は、システム制御回路５０でのプログラムの実行に応じて、文字、画像、音声等を用いて、動作状態やメッセージ等を表示する液晶表示装置や、スピーカー等の表示部に対応する表示部である。この表示部５４は、画像処理装置１００の操作部近辺の視認し易い位置に、単数或いは複数個設置され、例えば、ＬＣＤやＬＥＤ、発音素子等の組み合わせにより構成されている。
また、表示部５４は、その一部の機能が、後述する光学ファインダー１０４内に設置されている。
【００２５】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、後述する記録媒体２００及び２１０の着脱状態表示、レンズユニットの着弾状態表示、通信１／Ｆ動作表示、日付けや時刻表示、外部コンピュータとの接続状態を示す表示、等がある。
また、表示部５４の表示内容のうち、光学ファインダー１０４内に表示するものとしては、例えば、合点表示、撮影準備完了表示、手振れ警告表示、フラッシュ充電表示、フラッシュ充電完了表示、シャッタースピード表示、絞り値表示、露出補正表示、記録媒体書き込み動作表示、等がある。
さらに、表示部５４の表示内容のうち、ＬＥＤ等に表示するものとしては、例えば、合点表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
また、表示部５４の表示内容のうち、ランプ等に表示するものとしては、例えば、セルフタイマー通知ランプ、等がある。このセルフタイマー通知ランプは、ＡＦ補助光と共用して用いるようにしても良い。
【００２６】
"５６"は、電気的に消去及び記録可能な不揮発性メモリであり、例えば、ＥＥＰＲＯＭ等が用いられる。
【００２７】
"６０"、"６２"、"６４"、"６６"、及び"７０"は、システム制御回路５０の各種の動作指示を入力するための操作部であり、スイッチやダイアル、タッチパネル、視線検知によるポインティング、音声認識装置等の、単数或いは複数の組み合わせで構成される。
【００２８】
具体的には、"６０"は、モードダイアルスイッチであり、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等といった各機能撮影モードを切り替え設定することができるようになされている。
【００２９】
"６２"は、シャッタースイッチＳＷ１であり、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３０】
"６４"は、シャッタースイッチＳＷ２であり、不自示のシャッターボタンの操作完了でＯＮとなり、撮像素子１２から出力される信号をＡ／Ｄ変換器２６及びメモリ制御回路２２を介してメモリ３０に画像データとして書き込む露光処理、画像処理回路２０やメモリ制御回路２２での演算を用いた現像処理、メモリ３０から画像データを読み出して圧縮／伸長回路３２にて圧縮処理行い、それを記録媒体２００或いは２１０に書き込む記録処理、といった一連の処理の動作開始を指示するためのものである。
【００３１】
"６６"は、再生モードスイッチであり、再生モード、マルチ画面再生／消去モード、ＰＣ接続モード等の各機能モードを設定することができるようになされている。"６８"は、姿勢モードスイッチであり、後述するカメラ姿勢検知部１０６により、画像処理装置１００の姿勢を検知し、その結果を用いて、撮影時には検知したカメラの姿勢を撮影した画像と共に画像姿勢フラグとして記録媒体に記録し、再生時には読み出した画像姿勢フラグに応じて画像の表示方法を切り替える動作を行う姿勢モードの０Ｎ／ＯＦＦを設定するためのものである。
【００３２】
"７０"は、各種操作指示のためのボタンやタッチパネル等からなる操作部であり、メニューボタン、セットボタン、マクロボタン、マルチ画面再生改ペ一ジボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２８のＯＮ／０ＦＦを設定する画像表示ＯＮ／ＯＦＦスイッチ、撮影直後に撮影して得られた画像データを自動再生するクイックレビュー機能を設定するクイックレビューＯＮ／ＯＦＦスイッチ、ＪＰＥＧ圧縮の圧縮率を選択するため或いは撮像素子の信号をそのままディジタル化して記録媒体に記録するＣＣＤＲＡＷモードを選択するためのスイッチである圧縮モードスイッチ等を含む。
【００３３】
"７２"は、電源スイッチであり、電源オン、電源オフの各モードを切り替え設定することができるようになされている。"８０"は、電源制御手段であり、電池検出回路、ＤＣ−ＤＣコンバータ、通電するフロックを切り替えるスイッチ回路等により構成されており、電池の装着の有無、電池の種類、電池残量の検出を行い、検出結果及びシステム制御回路５０の指示に基づいて、ＤＣ−ＤＣコンバータを制御し、必要な電圧を必要な期間、記録媒体を含む各部へ供給する。
【００３４】
"８２"及び"８４"はそれぞれコネクタである。
"８６"は、アルカリ電池やリチウム電池等の一次電池やＮｉＣｄ電池やＮｉＭＨ電池、Ｌｉ電池等の二次電池、ＡＣアダプター等からなる電源部である。
【００３５】
"９０"及び"９４"はそれぞれ、メモリカードやハードディスク等の記録媒体とのインターフェースであり、"９２"及び"９６"はそれぞれ、メモリカードやハードディスク等の記録媒体と接続を行うコネクタである。
"９８"は、コネクタ９２及び或いは９６に対して、記録媒体２００或いは２１０が装着されているか否かを検知する記録媒体着脱検知部である。
【００３６】
尚、本実施の形態では、記録媒体を取り付けるインターフェース及びコネクタを２系統持つものとしているがこれに限られることはなく、例えば、記録媒体を取り付けるインターフェース及びコネクタを、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。また、インターフェース９０及び９４、そしてコネクタ９２及び９６を、ＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカ３１一ド、ＰＨＳ等の通信カード、といった各種通信カードを接続することにより、他のコンピュータやプリンタ等の周辺機器との間で、画像データや画像データに付属した管理情報を転送し合うことができる。
【００３７】
"１０４"は、光学ファインダであり、画像表示部２８による電子ファインダー機能を使用すること無しに、この光学ファインダ１０４のみを用いて撮影を行うことが可能であるようになされている。また、この光学ファインダー１０４内には、表示部５４の一部の機能、例えば、合点表示、手振れ警告表示、フラッシュ充電表示、シャッタースピード表示、絞り値表示、露出補正表示等の表示機能が設けられている。
【００３８】
"１０６"は、カメラ姿勢検知部であり、画像処理装置１００の姿勢状態、すなわち本装置に設けられている撮像素子１４の撮像面の向きの状態（以下、「装置の姿勢状態」とも言う）を検出することにより、横位置撮影或いは縦位置撮影のいずれの状態かを検知することができるようになされている。
【００３９】
"１１０"は、通信部であり、ＲＳ２３２ＣやＵＳＢ、ＩＥＥＥ１３９４、Ｐ１２８４、ＳＣＳＩ、モデム、ＬＡＮ、無線通信、といった各種通信機能を有するものである。"１１２"は、通信部１１０により画像処理装置１００を他の機器と接続するコネクタ、或いは無線通信の場合はアンテナである。
【００４０】
"２００"は、メモリカードやハードディスク等の記録媒体である。この記録媒体２００は、半導体メモリや磁気ディスク等から構成される記録部２０２と、画像処理装置１００とのインターフェース２０４と、画像処理装置１００との接続を行うコネクタ２０６とを含んでなる。
"２１０"もメモリカードやハードディスク等の記録媒体であり、半導体メモリや磁気ディスク等から構成される記録部２１２と、画像処理装置１００とのインターフェース２１４と、画像処理装置１００との接続を行うコネクタ２１６とを含んでなる。
【００４１】
上述のような画像処理装置１００の動作は、例えば、図２〜図１１のフローチャートによって示される。すなわち、これらの図２〜図１４のフローチャートに従った処理プログラムが、予めプログラムメモリに格納されており、システム制御部５０によって読み出され実行されることで、画像処理装置１００は以下のように動作する。
【００４２】
［メイン処理：図２〜図６参照］
【００４３】
先ず、電池交換等の電源投入により、システム制御回路５０は、フラグや制御変数等を初期化し（ステップＳ１０１）、画像表示部２８の画像表示を０ＦＦ状態に初期設定する（ステップＳ１０２）。
続いて、システム制御回路５０は、電源スイッチ６６の設定位置（スイッチ状態）を判断する（ステップＳ１０３）。
【００４４】
ステップＳ１０３の判断の結果、電源スイッチ６６が電源ＯＦＦに設定されていた場合、システム制御回路５０は、所定の終了処理を実行する（ステップＳ１０４）。
ここでの所定の終了処理では、例えば、各表示部の表示を終了状態に変更し、バリア制御部４６によって、保護部１０２のバリアを閉じて撮像部を保護する。また、フラグや制御変数等を含む必要なパラメータや設定値、設定モードを不揮発性メモリ５６に記録する。さらに、電源制御部８０によって、画像表示部２８を含む画像処理装置１００の各部の不要な電源を遮断する。その後、ステップＳ１０３に戻り、システム制御回路５０は、再び、電源スイッチ６６の設定位置を判断する処理を実行する。
【００４５】
一方、ステップＳ１０３の判断の結果、電源スイッチ６６が電源ＯＮに設定されていた場合、システム制御回路５０は、モードダイアル６０の設定位置を判断する（ステップＳ１０５）。
【００４６】
ステップＳ１０５の判断の結果、モードダイアル６０が撮影モード以外の他のモードに設定されていた場合、システム制御回路５０は、その設定されているモードに応じた所定の処理を実行する（ステップＳ１０６）。
この処理実行後、ステップＳ１０３に戻り、システム制御回路５０は、再び、電源スイッチ６６の設定位置を判断する処理を実行する。
【００４７】
ステップＳ１０５の判断の結果、モードダイアル６０が撮影モードに設定されていた場合、システム制御回路５０は、電源制御部８０によって、電池等により構成される電源８６の残容量や動作情況が、画像処理装置１００の動作に対して問題があるか否かを判断する（ステップＳ１０７）。
【００４８】
ステップＳ１０７の判断の結果、問題ありの場合、システム制御回路５０は、表示部５４を用いて、画像や音声により所定の警告表示を行う（ステップＳ１０９）。
この後、ステップＳ１０３に戻り、システム制御回路５０は、再び、電源スイッチ６６の設定位置を判断する処理を実行する。
【００４９】
ステップＳ１０７の判断の結果、問題なしの場合、システム制御回路５０は、記録媒体２０或いは２１０が装着されているか否かを判断した後、記録媒体２００或いは２１０に記録された画像データの管理情報を取得し、それによって、記録媒体２００或いは２１０の動作状態が画像処理装置１００の動作に対して、特に、記録媒体に対する画像データの記録再生動作に対して問題があるか否かの判断を行う（ステップＳ１０８）。
【００５０】
尚、ステップＳ１０８においては、システム制御回路５０は、記録媒体２００或いは２１０に記録された画像データの最終撮影番号Ｎｍａｘの取得も行う。この最終撮影番号Ｎｍａｘは、記録媒体２００或いは２１０から、コネクタ９２或いは９６、インターフェース９０或いは９４を介して読み出され、システム制御回路５０の内部メモリ或いはメモリ５２に記憶される。
【００５１】
ステップＳ１０８の判断の結果、問題ありの場合、システム制御回路５０は、表示部５４を用いて、画像や音声により所定の警告表示を行う（ステップＳ１０９）。
この後、ステップＳ１０３に戻り、システム制御回路５０は、再び、電源スイッチ６６の設定位置を判断する処理を実行する。
【００５２】
ステップＳ１０８の判断の結果、問題なしの場合、システム制御回路５０は、表示部５４を用いて、画像や音声により画像処理装置１００の各種設定状態の表示を行う（ステップＳ１１０）。
【００５３】
尚、ステップＳ１１０では、画像表示部２８の画像表示が０Ｎであったならば、画像表示部２８をも用いて、画像や音声により画像処理装置１００の各種設定状態の表示を行う。
【００５４】
ステップＳ１１０の処理実行後、システム制御回路５０は、操作部７０に含まれる姿勢モードスイッチの設定状態を調べ（ステップＳ１１１）、姿勢モードＯＮに設定されていたならば、姿勢モードフラグを設定し（ステップＳ１１２）、そうでないならば、姿勢モードフラグを解除する（ステップＳ１１３）。
このような姿勢モードフラグの設定或いは解除の後、次の図３のステップＳ１２１の処理へと進む。
【００５５】
ここで、上記姿勢モードフラグの状態は、システム制御回路５０の内部メモリ或いはメモリ５２に記憶する。これによる姿勢モード機能を使用することにより、撮影時においては、画像処理装置１００の姿勢状態を検出して、横位置撮影或いは縦位置撮影の何れの状態であるかを検知し、撮影した画像データと共に姿勢検知結果を画像姿勢フラグとして、記録媒体２００及び或いは２１０に記録することが可能となる。
【００５６】
また、画像再生時においては、画像処理装置１００の姿勢状態を検出して、横位置或いは縦位置の何れかの状態であるかを検知し、再生する画像データと共に記録媒体２００及び或いは２１０に記録された画像姿勢フラグと姿勢検知結果との対応関係を判断して、必要に応じて再生する画像データを回転処理及び変倍処理した後、再生画像データを画像表示手段２８により表示することが可能となる。
【００５７】
また、表示手段２８の向きに応じて、画像全体が表示されるように変倍処理する。これにより、回転よ処理したために画像の一部分が表示されなくなるような不都合を防止することができる。
【００５８】
上述のような姿勢モードフラグの解除或いは設定の後、ステップＳ１２１において（図３参照）、システム制御回路５０は、再生モードスイッチ６６がＯＮであるか０ＦＦであるかを判断する。
この判断の結果、ＯＦＦに設定されていた場合、次のステップＳ１２２からの処理はスキップして、そのまま後述するステップＳ１２７へ進む。
【００５９】
ステップＳ１２１の判断の結果、再生モードスイッチ６６がＯＮに設定されていた場合、システム制御回路５０は、再生モードフラグの状態を判断する（ステップＳ１２２）。
この判断の結果、再生モードフラグがＯＮ（設定）である場合、次のステップＳ１２３からの処理はスキップして、そのまま後述するステップＳ１２７へ進む。
【００６０】
ステップＳ１２２の判断の結果、再生モードフラグがＯＦＦ（解除）である場合、すなわち新たに再生モードフラグを実行する状態であると判断された場合、システム制御回路５０は、再生モードフラグを設定する（ステップＳ１２３）。
【００６１】
尚、再生モードフラグの状態は、システム制御回路５０の内部メモリ或いはメモリ５２に記憶する。
【００６２】
続いて、システム制御回路５０は、再生モードを実行するのに必要な所定の設定を行った後（ステップＳ１２４）、ステップＳ１０８において読み出されてシステム制御回路５０の内部メモリ或いはメモリ５２に記憶された最終撮影番号Ｎｍａｘを読み出し（ステップＳ１２５）、再生画像番号ＮをＮ＝Ｎｍａｘと設定して（ステップＳ１２６）、次のステップＳ１２７へと進む。
【００６３】
尚、上記再生画像番号Ｎは、システム制御回路５０の内部メモリ或いはメモリ５２に記憶される。これにより、再生モードを実行した直後に、画像選択キーを用いて画像選択を行わなくても、最後に撮影した画像データを読み出して表示することが可能となり、利用者にとって便利である。
【００６４】
ステップＳ１２７では、システム制御回路５０は、再生モードフラグがＯＮであるか０ＦＦであるかを判断する。この判断の結果、再生モードフラグがＯＮ（設定）である場合、後述する図６のステップＳ１８１に進む。
【００６５】
ステップＳ１２７の判断の結果、再生モードフラグがＯＦＦ（解除）である場合、システム制御回路５０は、操作部７０に含まれるクイックレビューＯＮ／ＯＦＦスイッチの設定状態を調べる（ステップＳ１２８）。
この結果、クイックレビューＯＮに設定されていた場合、システム制御回路５０はクイックレビューフラグを設定し（ステップＳ１２９）、そうでない場合には、システム制御回路５０はクイックレビューフラグを解除する（ステップＳ１３０）。
【００６６】
尚、クイックレビューフラグの状態は、システム制御回路５０の内部メモリ或いはメモリ５２に記憶する。
【００６７】
クイックレビューフラグの設定或いは解除の後、続いて、システム制御回路５０は、操作部７０に含まれる画像表示ＯＮ／ＯＦＦスイッチの設定状態を調べる（ステップＳ１３１）。
【００６８】
ステップＳ１３１の結果、画像表示０Ｎに設定されていた場合、システム制御回路５０は、画像表示フラグを設定すると共に（ステップＳ１３２）、画像表示部２８の画像表示をＯＮ状態に設定し（ステップＳ１３３）、さらに撮像した画像データを逐次表示するスルー表示状態に設定して（ステップＳ１３４）、次の図４のステップＳ１４１へと進む。
【００６９】
尚、スルー表示状態に於いては、撮像素子１４、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【００７０】
ステップＳ１３１の結果、画像表示ＯＦＦに設定されていた場合、システム制御回５０は、画像表示フラグを解除すると共に（ステップＳ１３５）、画像表示部２８の画像表示をＯＦＦ状態に設定して（ステップＳ１３６）、次の図４のステップＳ１４１へと進む。
【００７１】
尚、画像表示ＯＦＦの場合は、画像表示部２８による電子ファインダー機能を使用せずに、光学ファインダー１０４を用いて撮影を行う。この場合、電力消費量の大きい画像表示部２８やＤ／Ａ変換器２６等の消費電力を削減することが可能となる。また、画像表示フラグの状態は、システム制御回路５０の内部メモリ或いはメモリ５２に記憶する。
【００７２】
ステップＳ１４１（図４参照）では、システム制御回５０は、シャッタースイッチＳＷ１の状態を調べる。
この結果、シャッタースイッチＳＷ１が押されていない状態である場合、ステップＳ１０３に戻り（上記図２参照）、システム制御回路５０は、再び、電源スイッチ６６の設定位置を判断する処理を実行する。
【００７３】
ステップＳ１４１の結果、シャッタースイッチＳＷｌが押された状態である場合、システム制御回路５０は、システム制御回路５０の内部メモリ或いはメモリ５２に記憶される姿勢モードフラグの状態を判断する（ステップＳ１４２）。
この判断の結果、姿勢モードフラグがＯＦＦ（解除）である場合、システム制御回路５０は、次のステップＳ１４３はスキップして、そのままステップＳ１４４へと進む。
【００７４】
ステップＳ１４２の判断の結果、姿勢モードフラグがＯＮ（設定）である場合、システム制御回路５０は、画像処理装置１００の姿勢状態を検出することにより、画像処理装置１００が横位置撮影或いは縦位置撮影のいずれの状態にあるかを検知して、撮影しようとする画像の状態に応じて画像姿勢フラグを設定する姿勢検知処理を実行する（ステップＳ１４３）。
ここでの姿勢検知処理についての詳細は後述する。
【００７５】
ステップＳ１４４では、システム制御回路５０は、システム制御回路５０の内部メモリ或いはメモリ５２に記憶される画像表示フラグの状態を判断する。
この判断の結果、画像表示フラグがＯＦＦ（解除）である場合、システム制御回路５０は、次のステップＳ１４５はスキップして、そのままステップＳ１４６へと進む。
【００７６】
ステップＳ１４４の判断の結果、画像表示フラグがＯＮ（設定）である場合、システム制御回路５０は、画像表示部２８の表示状態をフリーズ表示状態に設定して（ステップＳ１４５）、次のステップＳ１４６へと進む。
【００７７】
尚、フリーズ表示状態に於いては、撮像素子１２、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。
【００７８】
ステップＳ１４６では、システム制御回路５０は、測距処理を行って、撮影レンズ１０の焦点を被写体に合わせ、測光処理を行って、絞り値及びシャッター時間を決定する。
【００７９】
尚、測光処理に於いて、必要であればフラッシュの設定も行う。ここでの測距及び測光処理の詳細は後述する。
【００８０】
測距及び測光処理の実行後、システム制御回路５０は、システム制御回路５０の内部メモリ或いはメモリ５２に記憶される画像表示フラグの状態を判断する（ステップＳ１４７）。
この判断の結果、画像表示フラグがＯＦＦ（解除）である場合、システム制御回路５０は、次のステップＳ１４８はスキップして、そのままステップＳ１４９へと進む。
【００８１】
ステップＳ１４７の判断の結果、画像表示フラグがＯＮ（設定）である場合、システム制御回路５０は、画像表示部２８の表示状態をスルー表示状態に設定して（ステップＳ１４８）、次のステップＳ１４９へと進む。
【００８２】
尚、上記スルー表示状態は、ステップＳ１３４でのスルー状態と同じ動作状態である。
【００８３】
ステップＳ１４９では、システム制御回路５０は、シャッタースイッチＳＷ２の状態を調べる。
この結果、シャッタースイッチＳＷ２が押されていない場合、システム制御回路５０は、シャッタースイッチＳＷ１の状態を調べる（ステップＳ１５８）。この結果、シャッタースイッチＳＷ１も押されていない場合、すなわちシャッタースイッチＳＷ２が押されずに、さらにシャッタースイッチＳＷｌをも解除された状態である場合、ステップＳ１０３（上記図２参照）に戻り、システム制御回路５０は、再び、電源スイッチ６６の設定位置を判断する処理を実行する。
【００８４】
ステップＳ１４９の結果、シャッタースイッチＳＷ２が押されていた場合、システム制御回路５０は、システム制御回路５０の内部メモリ或いはメモリ５２に記憶される画像表示フラグの状態を判断する（ステップＳ１５０）。
この判断の結果、画像表示フラグがＯＦＦ（解除）である場合、システム制御回路５０は、次のステップＳ１５１はスキップして、そのまま図５のステップＳ１６１へと進む。
【００８５】
ステップＳ１５０の判断の結果、画像表示フラグがＯＮ（設定）である場合、システム制御回路５０は、画像表示部２８の表示状態を固定色表示状態に設定して（ステップＳ１５１）、次の図５のステップＳ１６１へと進む。
【００８６】
尚、固定色表示状態に於いては、撮像素子１２、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。
【００８７】
ステップＳ１６１（図５参照）では、システム制御回路５０は、撮像素子１２、Ａ／Ｄ変換器１６、画像処理回路２０、メモリ制御回路２２を介して、或いはＡ／Ｄ変換器１６から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理、といった処理を含む撮影処理を実行する。
ここでの撮影処理の詳細は後述する。
【００８８】
ステップＳ１６１での撮影処理の実行後、システム制御回路５０は、システム制御回路５０の内部メモリ或いはメモリ５２に記憶される姿勢モードフラグの状態を判断する（ステップＳ１６２）。
この判断の結果、姿勢モードフラグがＯＦＦ（解除）である場合、システム制御回路５０は、次のステップＳ１６３はスキップして、そのままステップＳ１６４へと進む。
【００８９】
ステップＳ１６２の判断の結果、姿勢モードフラグがＯＮ（設定）である場合、システム制御回路５０は、ステップＳ１４３の姿勢検知処理において設定した画像姿勢フラグを、ステップＳ１６１での撮影処理においてメモリ３０に書き込んだ撮影画像データと関連付けて、システム制御回路５０の内部メモリ或いはメモリ５２に記憶する（ステップＳ１６３）。
その後、次のステップＳ１６４へと進む。
【００９０】
ステップＳ１６４では、システム制御回路５０は、システム制御回路５０の内部メモリ或いはメモリ５２に記憶される画像表示フラグの状態を判断する。
この判断の結果、画像表示フラグがＯＮ（設定）である場合、システム制御回路５０は、次のステップＳ１６５はスキップして、そのままステップＳ１６６へと進む。
【００９１】
ステップＳ１６４の判断の結果、画像表示フラグがＯＦＦ（解除）である場合、システム制御回路５０は、システム制御回路５０の内部メモリ或いはメモリ５２に記憶されるクイックレビューフラグの状態を判断する（ステップＳ１６５）。
この判断の結果、クイックレビューフラグがＯＮ（設定）である場合、次のステップＳ１６６へと進み、そうでない場合には、次のステップＳ１６６からの処理はスキップして、そのまま後述するステップＳ１７２へと進む。
【００９２】
ステップＳ１６６では、システム制御回路５０は、システム制御回路５０の内部メモリ或いはメモリ５２に記億される姿勢モードフラグの状態を判断する。
この判断の結果、姿勢モードフラグがＯＦＦ（解除）である場合、システム制御回路５０は、次のステップＳ１６７はスキップして、そのままステップＳ１６８へと進む。
【００９３】
ステップＳ１６６の判断の結果、姿勢モードフラグがＯＮ（設定）である場合、システム制御回路５０は、画像処理装置１００の姿勢状態を検出することにより、画像処理装置１００が横位置撮影或いは縦位置撮影のいずれの状態にあるかを検知し、システム制御回路５０の内部メモリ或いはメモリ５２に記憶された、画像データに対応する画像姿勢フラグとの関係から、必要に応じて画像データに回転処理及び変倍処理を行う画像姿勢対応処理を実行する（ステップＳ１６７）。
その後、ステップＳ１６８へと進む。
尚、ここでの画像姿勢対応処理の詳細は後述する。
【００９４】
ステップＳ１６８では、システム制御回路５０は、ステップＳ１６１での撮影処理によってメモリ３０に書き込まれ、ステップＳ１６７での画像姿勢対応処理によって必要に応じて回転処理及び変倍処理を行った画像データを読み出して、メモリ制御回路２２を介して画像表示メモリ２４に転送する表示画像処理を実行する。
ここでの表示画像処理の詳細は後述する。
【００９５】
続いて、システム制御回路５０は、システム制御回路５０の内部メモリ或いはメモリ５２に記憶される画像表示フラグの状態を判断する（ステップＳ１６９）。
この判断の結果、画像表示フラグがＯＮ（設定）である場合、システム制御回路５０は、次のステップＳ１７０はスキップして、そのままステップＳ１７１へと進む。
【００９６】
ステップＳ１６９の判断の結果、画像表示フラグがＯＦＦ（解除）である場合、システム制御回路５０は、画像表示部２８の画像表示を０Ｎ状態に設定して（ステップＳ１７０）、その後、ステップＳ１７１へと進む。
【００９７】
ステップＳ１７１では、システム制御回路５０は、クイックレビュー表示を行う。この場合、撮影中も画像表示部２８が電子ファインダーとして常に表示された状態であり、撮影直後のクイックレビュー表示も行われる。
【００９８】
上述のように、省電力のために、或いは光学ファインダー１０４を用いて撮影を行うので電子ファインダー機能が不要であるために、画像表示部２８の画像表示をＯＦＦに設定していても、クイックレビュースイッチによりクイックレビュー機能が設定されていれば、撮影を行った直後に自動的に撮影画像を画像表示部２８に再生することが可能となり、省電力かつ撮影画像の確認に便利な機能を提供することが可能となる。
【００９９】
また、画像処理装置１００の姿勢状態を検知し、その検知した結果と撮影した画像に関連付けされた画像姿勢フラグとの関係から、必要に応じて画像データの回転処理及び変倍処理を行った後に、クイックレビュー表示を行うことにより、画像処理装置１００の姿勢に応じた方向の画像データ表示を行うことが可能となる。
【０１００】
また、画像表示フラグが解除され（ステップＳ１６４参照）、クイックレビューフラグも解除されていたならば（ステップＳ１６５参照）、画像表示部２８がＯＦＦの状態のままステップＳ１７２に進むことになる。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法である。
【０１０１】
ステップＳ１７２では、システム制御回路５０は、メモリ３０に書き込まれた撮影画像データを読み出して、メモリ制御回路２２そして必要に応じて画像処理回路２０を用いて各種画像処理を行い、また、圧縮／伸長回路３２を用いて設定したモードに応じた画像圧縮処理を行う。
ここでの画像圧縮処理の詳細は後述する。
【０１０２】
その後、システム制御回路５０は、インターフェース９０或いは９４、コネクタ９２或いは９６を介して、メモリカードやコンパクトフラッシュ（登録商標）カード等の記録媒体２００或いは２１０に対して、画像データの書き込みを行う記録処理を実行する（ステップＳ１７３）。
【０１０３】
尚、画像表示部２８がＯＮの場合は、記録媒体２００或いは２１０へ画像データの書き込みを行っている間、書き込み動作中であることを明示する、例えば、「ＢＵＳＹ」等のメッセージ表示を画像表示部２８に対して行う。
さらに、表示部５４において、例えば、ＬＥＤを点滅させる等の記録媒体書き込み動作表示も併せて行う。
【０１０４】
ステップＳ１７３での記録処理の実行後、システム制御回路５０は、システム制御回路５０の内部メモリ或いはメモリ５２に記憶される姿勢モードフラグの状態を判断する（ステップＳ１７４）。
この判断の結果、姿勢モードフラグがＯＦＦ（解除）である場合、システム制御回路５０は、次のステップＳ１７５はスキップして、そのまま上記図４のステップＳ１５２へと進む。
【０１０５】
ステップＳ１７４の判断の結果、姿勢モードフラグがＯＮ（設定）である場合、システム制御回路５０は、ステップＳ１６３にて撮影画像データと関連付けてシステム制御回路５０の内部メモリ或いはメモリ５２に記憶した画像姿勢フラグを読み出し、その画像姿勢フラグを、インターフェース９０或いは９４、コネクタ９２或いは９６を介して、メモリカードやコンパクトフラッシュ（登録商標）カード等の記録媒体２００或いは２１０へ、対応する撮影画像データと関連付けて記録した後（ステップＳ１７５）、上記図４のステップＳ１５２へと進む。
【０１０６】
ステップＳ１５２（上記図４参照）では、システム制御回路５０は、シャッタースイッチＳＷ２の状態を調べる。
この結果、シャッタースイッチＳＷ２が押された状態である場合、システム制御回路５０は、システム制御回路５０の内部メモリ或いはメモリ５２に記憶される連写フラグの状態を判断し（ステップＳ１５３）、連写フラグがＯＮ（設定）されていたならば、連続して撮影を行うためにステップＳ１６１（上記図５参照）に戻り、次の撮影のための処理を実行する。また、連写フラグが設定されていないならば、システム制御回路５０は、シャッタースイッチＳＷ２が放されるまで（ＯＮ状態となるまで）、ステップＳ１５２及びＳ１５３の処理を繰り返す。
【０１０７】
上述のように、本実施の形態では、撮影直後にクイックレビュー表示を行う動作設定状態の場合、ステップＳ１７２での画像姿勢フラグ記録処理を実行終了した際に、シャッタースイッチＳＷ２が押された状態であったならば、シャッタースイッチＳＷ２が放されるまで、画像表示部２８におけるクイックレビュー表示を継続するように構成してあるため、撮影画像の確認を入念に行うことができる。
【０１０８】
そして、シャッタースイッチＳＷ２が放された状態であった、或いは、シャッタースイッチＳＷ２を押し続けてクイックレビュー表示を継続して撮影画像の確認を行った後に、シャッタースイッチＳＷ２が放された状態であったならば、システム制御回路５０は、所定の時間（以下、「ミニマムレビュー時間」と言う）が経過した後に（ステップＳ１５４）、次のステップＳ１５５へと進む。
このように、画像表示部２８におけるクイックレビュー表示を所定の時間（ミニマムレビュー時間）継続することにより、撮影画像の確認を確実に行うことを可能とすると共に、不必要に長時間クイックレビュー表示を継続して次の撮影チャンスを失うことを防止することができる。
【０１０９】
尚、上記ミニマムレビュー時間は、固定値としても、使用者が任意に設定することが可能としても、さらには所定の範囲内で使用者が任意に設定或いは選択することが可能としても、いずれの方法での設定可能な構成として構わない。
【０１１０】
ステップＳ１５５では、システム制御回路５０は、画像表示フラグの状態を調べる。この結果、画像表示フラグがＯＮ（設定）である場合、システム制御回路５０は、画像表示部２８の表示状態をスルー表示状態に設定して（ステップＳ１５６）、次のステップＳ１５８へと進む。この場合、画像表示部２８でのクイックレビュー表示によって撮影画像を確認した後に、次の撮影のために撮像した画像データを逐次表示するスルー表示状態にすることが出来る。
【０１１１】
また、画像表示フラグがＯＦＦ（解除）である場合、システム制御回路５０は、画像表示部２８の画像表示を０ＦＦ状態に設定して（ステップＳ１５７）、次のステップＳ１５８へと進む。この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【０１１２】
ステップＳ１５８では、システム制御回路５０は、シャッタースイッチＳＷ１の状態を調べる。
この結果、シャッタースイッチＳＷ１が押された状態である場合、システム制御回路５０は、ステップＳ１４９に戻って、次の撮影に備えるために、シャッタースイッチＳＷ２の状態を調べる処理を再び実行する。また、シャッタースイッチＳＷ１が放された状態である場合、システム制御回路５０は、一連の撮影動作を終えて、ステップＳ１０３（上記図２参照）に戻り、再び、電源スイッチ６６の設定位置を判断する処理を実行する。
【０１１３】
上述したステップＳ１２７（上記図３参照）の判断によって、再生モードフラグがＯＮ（設定）である場合、システム制御回路５０は、次の図６のステップＳ１８１からの処理を実行する。
【０１１４】
すなわち、先ず、システム制御回路５０は、システム制御回路５０の内部メモリ或いはメモリ５２に記憶された再生画像番号Ｎを読み出して、再生する画像データを設定した後（ステップＳ１８１）、メモリカードやコンパクトフラッシュ（登録商標）カード等の記録媒体２００或いは２１０から、コネクタ９２或いは９６、インターフェース９０或いは９４を介して、再生画像番号Ｎに対応する画像データを読み出し、メモリ３０に記憶する、記録媒体読み出し処理を実行する（ステップＳ１８２）。
ここでの記録媒体読み出し処理においては、メモリカードやコンパクトフラッシュ（登録商標）カード等の記録媒体２００或いは２１０から、コネクタ９２或いは９６、インターフェース９０或いは９４を介して、読み出した画像データに対応する画像姿勢フラグの読み出しも併せて行い、システム制御回路５０の内部メモリ或いはメモリ５２に記憶する。
【０１１５】
続いて、システム制御回路５０は、画像圧縮／伸長回路３２により、ステップＳ１８１にて読み出した画像データに対する画像伸長処理を行う（ステップＳ１８３）。
ここでの伸長処理の詳細は後述する。
【０１１６】
続いて、システム制御回路５０は、システム制御回路５０の内部メモリ或いはメモリ５２に記憶される姿勢モードフラグの状態を判断する（ステップＳ１８４）。
この判断の結果、姿勢モードフラグがＯＦＦ（解除）である場合、システム制御回路５０は、次のステップＳ１８５はスキップして、そのままステップＳ１８６へと進む。
【０１１７】
ステップＳ１８４の判断の結果、姿勢モードフラグがＯＮ（設定）である場合、システム制御回路５０は、画像処理装置１００の姿勢状態を検出することにより、画像処理装置１００が横位置撮影或いは縦位置撮影のいずれの状態にあるかを検知し、記録媒体より読み出した画像データに対応する画像姿勢フラグとの関係から、必要に応じて画像データに回転処理及び変倍処理を行う画像姿勢対応処理を実行し（ステップＳ１８５）、その後、次のステップＳ１８６へと進む。
ここでの画像姿勢対応処理の詳細は後述する。
【０１１８】
ステップＳ１８６では、システム制御回路５０は、ステップＳ１８３での記録媒体読み出し処理によってメモリ３０に書き込まれ、ステップＳ１８５での画像姿勢対応処理によって必要に応じて回転処理及び変倍処理を行った画像データを読み出して、その画像データを、メモリ制御回路２２を介して画像表示メモリ２４に転送する、表示画像処理を実行する。
ここでの表示画像処理の詳細は後述する。
【０１１９】
続いて、システム制御回路５０は、画像表示部２８の画像表示をＯＮ状態に設定し（ステップＳ１８７）、ステップＳ１８６にて転送した表示画像データを、画像表示メモリ２４から読み出して、メモリ制御回路２２、Ｄ／Ａ変換器２６を介して画像表示部２８により表示する（ステップＳ１８８）。
【０１２０】
続いて、システム制御回路５０は、シャッタースイッチＳＷｌの状態を調べる。すなわち、再生画像を表示している際における、シャッタースイッチＳＷｌの状態を調べる（ステップＳ１８９）。
【０１２１】
ステップＳ１８９の結果、シャッタースイッチＳＷｌが放された状態である場合、システム制御回路５０は、再生画像選択処理を実行する（ステップＳ１９０）。
ここでの再生国像選択処理の詳細は後述する。
【０１２２】
そして、システム制御回路５０は、ステップＳ１９０での再生画像選択処理を実行終了後、ステップＳ１０３（上記図２参照）に戻り、再び、電源スイッチ６６の設定位置を判断する処理を実行する。
【０１２３】
ステップＳ１８９の結果、シャッタースイッチＳＷｌが押された状態である場合、すなわち再生画像を表示している際に、シャッタースイッチＳＷ１が押された状態である場合、システム制御回路５０は、システム制御回路５０の内部メモリ或いはメモリ５２に記憶された画像表示フラグの状態を判断する（ステップＳ１９１）。
この判断の結果、画像表示フラグがＯＮ（設定）である場合、システム制御回路５０は、次のステップＳ１９２はスキップして、そのままステップＳ１９３へと進む。
【０１２４】
ステップＳ１９１の判断の結果、画像表示フラグがＯＦＦ（解除）である場合、システム制御回路５０は、画像表示部２８の画像表示をＯＦＦ状態に設定して（ステップＳ１９２）、その後、ステップＳ１９３へと進む。
【０１２５】
ステップＳ１９３では、システム制御回路５０は、再生モードフラグを解除する。そして、システム制御回路５０は、撮影モードを実行するのに必要な各種の設定を行い（ステップＳ１９４）、その後、ステップＳ１０３（上記図２参照）に戻り、再び、電源スイッチ６６の設定位置を判断する処理を実行する。
【０１２６】
上述のようなステップＳ１８９からの処理により、画像再生を行っている際にＳＷ１が押されたならば、再生モードフラグを解除し、撮影モード実行に必要な所定の設定を行い、画像処理装置１００が速やかに撮影可能な状態とすることが可能となる。
【０１２７】
［上記図４のステップＳ１４６における測距及び測光処理：図７参照］
【０１２８】
先ず、システム制御回路５０は、撮像素子１４から電荷信号を読み出し、その信号を撮影画像データとして、Ａ／Ｄ変換器１６を介して画像処理回路２０に逐次読み込む（ステップＳ２０１）。
【０１２９】
ステップＳ２０１にて逐次読み込まれた撮影画像データを用いて、画像処理回路２０は、ＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【０１３０】
尚、上記演算処理では、撮影した全画素数のうちの必要に応じた特定の部分を必要個所分切り取って抽出し、それを演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【０１３１】
続いて、システム制御回路５０は、画像処理回路２０での上述の演算結果を用いて、露出（ＡＥ）が適正であるか否かを判断する（ステップＳ２０２）。
【０１３２】
ステップＳ２０２の判断の結果、露出（ＡＥ）が適正でない場合、システム制御回路５０は、露光制御手段４０を用いてＡＥ制御を行う（ステップＳ２０３）。そして、システム制御回路５０は、ＡＥ制御で得られた測定データを用いて、フラッシュが必要か否かを判断する（ステップＳ２０４）。
【０１３３】
ステップＳ２０４の判断の結果、フラッシュが必要である場合、システム制御回路５０は、フラッシュフラグをセットして、フラッシュ４８を充電する（ステップＳ２０５）。
その後、ステップＳ２０１に戻り、システム制御回路５０は、再び、撮影画像データの読み込みを実行する。
【０１３４】
また、ステップＳ２０４の判断の結果、フラッシュが必要でない場合、システム制御回路５０は、上記のステップＳ２０５の処理はスキップして、そのままステップＳ２０１に戻り、再び、撮影画像データの読み込みを実行する。
【０１３５】
一方、ステップＳ２０２の判断の結果、露出（ＡＥ）が適正であった場合、システム制御回路５０は、測定データ及び或いは設定パラメータを、システム制御回路５０の内部メモリ率いはメモリ５２に記憶する。そして、システム制御回路５０は、画像処理回路２０での演算結果及びＡＥ制御で得られた測定データを用いて、ホワイトバランス（ＡＷＢ）が適正であるか否かを判断する（ステップＳ２０６）。
【０１３６】
ステップＳ２０６の判断の結果、ホワイトバランス（ＡＷＢ）が適正でない場合、システム制御回路５０は、画像処理回路２０を用いて、色処理のパラメータを調節してＡＷＢ制御を行う（ステップＳ２０７）。
その後、ステップＳ２０１に戻り、システム制御回路５０は、再び、撮影画像データの読み込みを実行する。
【０１３７】
ステップＳ２０６の判断の結果、ホワイトバランス（ＡＷＢ）が適正であった場合、システム制御回路５０は、測定データ及び或いは設定パラメータをシステム制御回路５０の内部メモリ或いはメモリ５２に記憶する。そして、システム制御回路５０は、ＡＥ制御及びＡＷＢ制御で得られた測定データを用いて、測距（ＡＦ）が合焦であるか否かを判断する（ステップＳ２０８）。
【０１３８】
ステップＳ２０８の判断の結果、測距（ＡＦ）が合焦でない場合、システム制御回路５０は、測距制御手段４２を用いてＡＦ制御を行う（ステップＳ２０９）。その後、ステップＳ２０１に戻り、システム制御回路５０は、再び、撮影画像データの読み込みを実行する。
【０１３９】
ステップＳ２０８の判断の結果、測距（ＡＦ）が合焦である場合、システム制御回路５０は、測定データ及び或いは設定パラメータをシステム制御回路５０の内部メモリ或いはメモリ５２に記憶し、本処理を終了する。
【０１４０】
上述のように、測距及び測光処理では、露出（ＡＥ）及びホワイトバランス（ＡＷＢ）がそれぞれ適正な状態となり、測距（ＡＦ）が合焦となるまで、ぞれぞれの調整のための制御処理を行う。
【０１４１】
［上記図５のステップＳ１６１における撮影処理：図８参照］
【０１４２】
先ず、システム制御回路５０は、システム制御回路５０の内部メモリ或いはメモリ５２に記憶される測光データに従って、露光制御手段４０により、絞り機能を有するシャッター１２を絞り値に応じて開放して（ステップＳ３０１）、撮像素子１４を露光する（ステップＳ３０２）。
【０１４３】
続いて、システム制御回路５０は、フラッシュ・フラグにより、フラッシュ４８が必要か否かを判断する（ステップＳ３０３）。
この判断の結果、フラッシュ４８が必要でない場合、システム制御回路５０は、次のステップＳ３０４はスキップして、そのままステップＳ３０５へと進む。
【０１４４】
ステップＳ３０３の判断の結果、フラッシュ４８が必要である場合、システム制御回路５０は、フラッシュを発光させ（ステップＳ３０４）、その後、次のステップＳ３０５へと進む。
【０１４５】
ステップＳ３０５では、システム制御回路５０は、測光データに従って、撮像素子１４の露光終了を待ち、露光終了状態となったら、シャッター１２を閉じて（ステップＳ３０６）、撮像素子１４から電荷信号を読み出し、それを撮影画像データとして、Ａ／Ｄ変換器１６、画像処理回路２０、メモリ制御回路２２を介して、或いはＡ／Ｄ変換器１６から直接メモリ制御回路２２を介して、メモリ３０に書き込む（ステップＳ３０７）。
これらの一連の処理を終えたならば、本処理終了となる。
【０１４６】
［上記図５のステップＳ１６８及び上記図６のステップＳ１８６における表示画像処理：図９参照］
【０１４７】
先ず、システム制御回路５０は、設定された撮影モードに応じて、フレーム処理を行う必要があるか否かを判断する（ステップＳ４０１）。
この判断の結果、フレーム処理を行う必要がない場合、システム制御回路５０は、次のステップＳ４０２からの処理はスキップして、そのままステップＳ４０４へと進む。
【０１４８】
ステップＳ４０１の判断の結果、フレーム処理を行う必要がある場合、システム制御回路５０は、メモリ制御回路２２そして必要に応じて画像処理回路２０を用いて、メモリ３０に書き込まれた画像データを読み出して垂直加算処理（ステップＳ４０２）、色処理（Ｓ４０３）を順次実行し、それらの処理を行った画像データをメモリ３０に書き込む。その後、次のステップＳ４０４へと進む。
【０１４９】
ステップＳ４０４では、システム制御回路５０は、メモリ３０から画像データを読み出し、その画像データを表示画像データとして、メモリ制御回路２２を介して画像表示メモリ２４に転送する。
これらの一連の処理を終えたならば、本処理終了となる。
【０１５０】
［上記図５のステップＳ１７２における圧縮処理：図１０参照］
【０１５１】
先ず、システム制御回路５０は、メモリ制御回路２２そして必要に応じて画像処理回路２０を用いて、メモリ３０に書き込まれた撮影画像データを読み出し、その撮影画像データに対して、撮像素子１４の縦横画素比率を１：１に補間する画素正方化処理を行い（ステップＳ５０１）、その処理を終えた画像データをメモリ３０に書き込む。
【０１５２】
そして、システム制御回路５０は、メモリ３０に書き込んだ画像データを読み出して、その画像データに対して、設定したモードに応じた画像圧縮処理を圧縮／伸長回路３２により行う（Ｓ５０２）。
これらの一連の理が終わったならば、本処理終了となる。
【０１５３】
［上記図６のステップＳ１８３における伸長処理：図１１参照］
【０１５４】
先ず、システム制御回路５０は、メモリ３０に書き込まれた画像データを読み出して、その画像データに対して、設定したモードに応じた画像伸長処理を圧縮／伸長回路３２により行う（ステップＳ６０１）。
【０１５５】
そして、システム制御回路５０は、メモリ制御回路２２そして必曇に応じて画像処理回路２０を用いて、メモリ３０に書き込まれた縦横画素比率１：１の画像データを読み出して、その画像データに対して、画像表示部２８の縦横画素比率に合わせて補間を行う画素逆正方化処理を行った後（ステップＳ６０２）、その処理を終えた画像データをメモリ３０に書き込む。
これらの一連の処理が終わったならば、本処理終了となる。
【０１５６】
［上記図６のステップＳ１９０における再生画像選択処理：図１２参照］
【０１５７】
先ず、システム制御回路５０は、操作部７０に含まれる「＋」キーが押されたならば（ステップＳ７０１）、再生画像番号Ｎが"Ｎ＝Ｎｍａｘ"であるか否かを判断する（ステップＳ７０２）。
この判断の結果、現在の再生画像番号Ｎが"Ｎ＝Ｎｍａｘ"であるならば、すなわち最後に撮影した再生画像番号を選択している状態で「＋」キーが押されたならば、システム制御回路５０は、再生画像番号Ｎを"Ｎ＝１"として、最初の再生画像番号を選択し（ステップＳ７０３）、その後、本処理を終了する。
【０１５８】
また、ステップＳ７０２の判断の結果、現在の再生画像番号Ｎが"Ｎ＝Ｎｍａｘ"以外の番号であるならば、すなわち最後に撮影した画像以外の再生画像番号を選択している状態で「＋」キーが押されたならば、システム制御回路５０は、再生画像番号Ｎを"Ｎ＝Ｎ＋１"として、次の再生画像番号を選択し（ステップＳ７０４）、その後、本処理を終了する。
【０１５９】
一方、「＋」キーが押されずに（ステップＳ７０１）、操作部７０に含まれる「−」キーが押されたならば（ステップＳ７０５）、システム制御回路５０は、再生画像番号Ｎが"Ｎ＝１"か否かを判断する（ステップＳ７０６）。
この判断の結果、現在の再生画像番号Ｎが"Ｎ＝１"であるならば、すなわち最初に撮影した再生画像番号を選択している状態で「−」キーが押されたならば（ステップＳ７０６）、システム制御回路５０は、再生画像番号Ｎを"Ｎ＝Ｎｍａｘ"として、最後に撮影した再生画像番号を選択し（ステップＳ７０７）、その後、本処理を終了する。
【０１６０】
また、ステップＳ７０６の判断の結果、現在の再生画像番号Ｎが"Ｎ＝１"以外の番号であるならば、すなわち最初に撮影した画像以外の再生画像番号を選択している状態で「−」キーが押されたならば（ステップＳ７０６）、システム制御回路５０は、再生画像番号Ｎを"Ｎ＝Ｎ−１"として、前の再生画像番号を選択し（ステップＳ７０８）、その後、本処理を終了する。
【０１６１】
また、「＋」キーが押されず（ステップＳ７０１）、「−」キーも押されないならば（ステップＳ７０５）、システム制御回路５０は、再生画像番号Ｎを更新せずに、本処理を終了する。
【０１６２】
［上記図４のステップＳ１４３における姿勢検知処理：図１３参照］
【０１６３】
先ず、システム制御回路５０は、カメラ姿勢検知部１０６を用いて、画像処理装置１００の姿勢状態（具体的には撮像素子１４の姿勢状態）を検知する（ステップＳ８０１）。このステップＳ８０１での処理によって、画像処理装置１００の姿勢状態を検出することにより、画像処理装置１００が横位置撮影或いは縦位置撮影のいずれの状態にあるかを検知することができる。
【０１６４】
ステップＳ８０１でのカメラ姿勢検知処理の結果、カメラ姿勢がＶ（縦位置）状態であったならば（ステップＳ８０２）、システム制御回路５０は、画像姿勢フラグをＶ（縦位置）に設定し（ステップＳ８０４）、その後、本処理を終了する。
【０１６５】
一方、カメラ姿勢がＨ（横位置）状態であったならば（ステップＳ８０２）、システム制御回路５０は、画像姿勢フラグをＨ（横位置）に設定し（ステップＳ８０３）、その後、本処理を終了する。
【０１６６】
尚、ステップＳ８０３及びＳ８０４での画像姿勢フラグは、システム制御回路５０の内部メモリ或いはメモリ５２に記憶される。
【０１６７】
［上記図５のステップＳ１６７及び上記図６のステップＳ１８５における画像姿勢対応処理：図１４参照］
【０１６８】
先ず、システム制御回路５０は、カメラ姿勢検知手段１０６を用いて、画像処理装置１００の姿勢状態（具体的には撮像素子１４の姿勢状態）を検知する（ステップＳ９０１）。このステップＳ９０１での処理によって画像処理装置１００の姿勢状態を検出することにより、画像処理装置１００が横位置撮影或いは縦位置撮影のいずれの状態にあるかを検知することができる。
【０１６９】
ステップS９０１でのカメラ姿勢検知処理の結果、カメラ姿勢がV（縦位置）状態であったならば（ステップS９０２）、システム制御回路５０は、システム制御回路５０の内部メモリ或いはメモリ５２に記憶された画像姿勢フラグの状態を判断する（ステップS903）。
ここでの画像姿勢フラグは、記録媒体より再生する画像データと共に読み出され、この再生画像データとの対応関係を保った状態で、システム制御回路５０の内部メモリ或いはメモリ５２に記憶されている。一方、クイックレビュー表示時においては、画像姿勢フラグは、撮影時にメモリ３０に書き込まれた画像データと対応付けて、この撮影画像データとの対応関係を保った状態で、システム制御回路５０の内部メモリ或いはメモリ５２に記憶されている。
【０１７０】
ステップS９０３の判断の結果、画像姿勢フラグがV（縦位置）状態である場合、すなわちカメラ姿勢と画像表示手段２８により表示しようとする画像が共にV（縦）状態である場合、本処理終了となる。
【０１７１】
ステップS９０３の判断の結果、画像姿勢フラグがH（横位置）状態である場合、すなわちカメラ姿勢がV（縦位置）状態で、画像表示手段２８により表示しようとする画像がH（横位置）状態である場合、システム制御回路５０は、メモリ３０に書き込んだ画像データを読み出して、メモリ制御回路２２によって回転処理及び変倍処理を施した後、それをメモリ３０に書き込む、画像回転処理を行う（ステップS９０５）。
その後、本処理終了となる。
【０１７２】
尚、上記変倍処理では、表示手段２８の向きに応じて、画像全体が表示されるように変倍処理する。これにより、回転処理したために画像の一部が表示されなくなるような不都合を防止することができる。
【０１７３】
一方、ステップＳ９０１でのカメラ姿勢検知処理の結果、カメラ姿勢がＨ（横位置）状態であったならば（ステップＳ９０２）、システム制御回路５０は、再生する画像と共に読み出した画像姿勢フラグの状態を判断する（Ｓ９０４）。
【０１７４】
ステップＳ９０４の判断の結果、画像姿勢フラグがＨ（横位置）状態である場合、すなわちカメラ姿勢と画像表示手段２８により表示しようとする画像が共にＨ（横位置）状態である場合、回転処理は行わずに本処理終了となる。
【０１７５】
ステップＳ９０４の判断の結果、画像姿勢フラグがＶ（縦位置）状態である場合、すなわちカメラ姿勢がＨ（横位置）状態で、画像表示手段２８により表示しようとする画像がＶ（縦位置）である場合、システム制御回路５０は、メモリ３０に書き込んだ画像データを読み出して、その画像データに対して、メモリ制御回路２２によって回転処理及び変倍処理を施した後、それをメモリ３０に書き込む、画像回転処理を行う（ステップＳ９０５）。
その後、本処理終了となる。
【０１７６】
尚、上記変倍処理では、表示手段２８の向きに応じて、画像全体が表示されるように変倍処理する。これによって、回転処理したために画像の一部分が表示されなくなるような不都合を防止することが出来る。
【０１７７】
以上説明した様に、本実施の形態では、撮影動作の際に、カメラ姿勢検知部１０６によって検知した縦位置撮影姿勢或いは横位置撮影姿勢を示す画像姿勢フラグを、撮影して得られた画像データと対応付けして、該画像データと共に記録媒体２００或いは２１０に格納し、その画像データを再生する際に、それに対応付けられた画像姿勢フラグと現在のカメラ姿勢とが合致するか否かを判断し、その判断の結果、合致していないならば、該画像データに対して画像回転処理及び変倍処理を行う。
したがって、常に正しい方向（使用者にとって観察しやすい方向）で、画像データの表示がなされることになる。
【０１７８】
特に、本実施の形態においては、姿勢モードスイッチの設定／解除に応じて、上記の画像姿勢の検知、画像姿勢フラグの画像データヘの対応付け、画像姿勢フラグの記録媒体への格納、格納した画像姿勢フラグを読み出して現在のカメラ姿勢と合致するかという判断処理、その判断の結果合致していなかったならば読み出した画像データを画像回転する処理、といった処理を実行或いは禁止することにより、一連の姿勢検知に対応する処理を任意に実行或いは禁止することが可能である。
【０１７９】
このような本実施の形態での構成により、例えば、撮影時に画像処理装置をほぼ９０度傾けて縦位置として撮影を行って得た画像を、再生時に画像処理装置を元の横位置として画像処理装置１００背面に備えられた画像表示部にて再生表示する場合、画像の縦横が９０度異なってしまう、ということはない。
【０１８０】
また、撮影する毎に、カメラ姿勢検知部１０６によって検知した縦位置撮影姿勢或いは横位置撮影姿勢を示す画像姿勢フラグを自動的に保持する機能、及び或いは、撮影する毎に、カメラ姿勢検知部１０６によって検知した縦位置撮影姿勢或いは横位置撮影姿勢を示す画像姿勢フラグを画像データと対応付けて画像データと共に自動的に記録媒体に格納する機能により、再生時には、保持及び或いは格納した画像姿勢フラグが現在のカメラ姿勢と合致するかという判断に応じて、再生する画像データを必要に応じて回転させ、表示部２８によって再生表示する動作を自動的に行うことにより、例えば、撮影直後に撮影した画像を再生表示する場合に、タグ情報等の設定がまだ行われていないため、画像処理装置背面に備えられた画像表示部にて再生表示すると、画像の縦横が９０度異なってしまう、ということはない。
【０１８１】
さらに、撮影直後に撮影画像を確認表示するクイックレビュー表示を行う際にも、撮影する毎に、カメラ姿勢検知部１０６によって検知した縦位置撮影姿勢或いは横位置撮影姿勢を示す画像姿勢フラグを自動的に保持し、保持した画像姿勢フラグが現在のカメラ姿勢と合致するかという判断に応じて、クイックレビュー表示する画像データを必要に応じて回転し、表示部２８によってクイックレビュー表示を行う動作を自動的に行うことにより、撮影直後に撮影した画像をクイックレビュー表示する場合に、タグ情報等の設定がまだ行われていないため、画像処理装置背面に備えられた画像表示部にて再生表示すると、画像の縦横が９０度異なってしまう、ということもない。
【０１８２】
また、本実施の形態での変倍処理では、表示手段の28の向きに応じて、画像全体が表示されるように変倍処理する。これによって、回転処理したために画像の一部分が表示されなくなるような不都合を防止することができる。
【０１８３】
よって、本実施の形態によれば、従来からの撮影画像の確認に不便であった等という問題を解決することができ、操作性を向上させた画像処理装置１００を提供することができる。
【０１８４】
（第２の実施の形態）
本実施の形態では、上記図１の画像処理装置１００の動作を、例えば、図１５〜図１９に示すフローチャートに従った動作とする。すなわち、これらの図１５〜図１９のフローチャートに従った処理プログラムが、予めプログラムメモリに格納されており、システム制御部５０によって読み出され実行されることで、画像処理装置１００は以下のように動作する。
【０１８５】
先ず、電池交換等の電源投入により、システム制御回路５０は、フラグや制御変数等を初期化し（ステップＳ１００１）、画像表示部２８の画像表示をＯＦＦ状態に初期設定する（ステップＳ１００２）。
続いて、システム制御回路５０は、電源スイッチ６６の設定位置（スイッチ状態）を判断する（ステップＳ１００３）。
【０１８６】
ステップＳ１００３の判断の結果、電源スイッチ６６が電源ＯＦＦに設定されていた場合、システム制御回路５０は、所定の終了処理を実行する（ステップＳ１００４）。
ここでの所定の終了処理では、例えば、各表示部の表示を終了状態に変更し、バリア制御部４６によって、保護部１０２のバリアを閉じて撮像部を保護する。また、フラグや制御変数等を含む必要なパラメータや設定値、設定モードを不揮発性メモリ５６に記録する。さらに、電源制御部８０によって、画像表示部２８を含む画像処理装置１００の各部の不要な電源を遮断する。
その後、ステップＳ１００３に戻り、システム制御回路５０は、再び、電源スイッチ６６の設定位置を判断する処理を実行する。
【０１８７】
一方、ステップＳ１００３の判断の結果、電源スイッチ６６が電源ＯＮに設定されていた場合、システム制御回路５０は、モードダイアル６０の設定位置を判断する（ステップＳ１００５）。
【０１８８】
ステップＳ１００５の判断の結果、モードダイアル６０が撮影モード以外の他のモードに設定されていた場合、システム制御回路５０は、その設定されているモードに応じた所定の処理を実行する（ステップＳ１００６）。
この処理実行後、ステップＳ１００３に戻り、システム制御回路５０は、再び、電源スイッチ６６の設定位置を判断する処理を実行する。
【０１８９】
ステップＳ１００５の判断の結果、モードダイアル６０が撮影モードに設定されていた場合、システム制御回路５０は、電源制御部８０によって、電池等により構成される電源８６の残容量や動作情況が、画像処理装置１００の動作に対して問題があるか否かを判断する（ステップＳ１００７）。
【０１９０】
ステップＳ１００７の判断の結果、問題ありの場合、システム制御回路５０は、表示部５４を用いて、画像や音声により所定の警告表示を行う（ステップＳ１００９）。
この後、ステップＳ１０３に戻り、システム制御回路５０は、再び、電源スイッチ６６の設定位置を判断する処理を実行する。
【０１９１】
ステップＳ１００７の判断の結果、問題なしの場合、システム制御回路５０は、記録媒体２０或いは２１０が装着されているか否かを判断した後、記録媒体２００或いは２１０に記録された画像データの管理情報を取得し、それによって、記録媒体２００或いは２１０の動作状態が画像処理装置１００の動作に対して、特に、記録媒体に対する画像データの記録再生動作に対して問題があるか否かの判断を行う（ステップＳ１００８）。
【０１９２】
尚、ステップＳ１００８においては、システム制御回路５０は、記録媒体２００或いは２１０に記録された画像データの最終撮影番号Ｎｍａｘの取得も行う。この最終撮影番号Ｎｍａｘは、記録媒体２００或いは２１０から、コネクタ９２或いは９６、インターフェース９０或いは９４を介して読み出され、システム制御回路５０の内部メモリ或いはメモリ５２に記憶される。
【０１９３】
ステップＳ１００８の判断の結果、問題ありの場合、システム制御回路５０は、表示部５４を用いて、画像や音声により所定の警告表示を行う（ステップＳ１００９）。
この後、ステップＳ１００３に戻り、システム制御回路５０は、再び、電源スイッチ６６の設定位置を判断する処理を実行する。
【０１９４】
ステップＳ１００８の判断の結果、問題なしの場合、システム制御回路５０は、表示部５４を用いて、画像や音声により画像処理装置１００の各種設定状態の表示を行う（ステップＳ１０１０）。
その後、次の図１６のステップＳ１０２１へと進む。
【０１９５】
尚、ステップＳ１０１０では、画像表示部２８の画像表示が０Ｎであったならば、画像表示部２８をも用いて、画像や音声により画像処理装置１００の各種設定状態の表示を行う。
【０１９６】
上記図１５での処理において、上述した第１の実施の形態と異なる点は、本ステップＳ１０１０の処理後、操作部７０に含まれる姿勢モードスイッチの設定状態を調べるための処理（上記図２のステップＳ１１１参照）を実行しないことにある。
【０１９７】
ステップＳ１０２１からの処理（図１６参照）では、上記図３に示した処理と同様の処理が行われる。
すなわち、システム制御回路５０は、再生モードスイッチ６６がＯＮであるか０ＦＦであるかを判断する。
この判断の結果、ＯＦＦに設定されていた場合、次のステップＳ１０２２からの処理はスキップして、そのまま後述するステップＳ１０２７へ進む。
【０１９８】
ステップＳ１０２１の判断の結果、再生モードスイッチ６６がＯＮに設定されていた場合、システム制御回路５０は、再生モードフラグの状態を判断する（ステップＳ１０２２）。
この判断の結果、再生モードフラグがＯＮ（設定）である場合、次のステップＳ１０２３からの処理はスキップして、そのまま後述するステップＳ１０２７へ進む。
【０１９９】
ステップＳ１０２２の判断の結果、再生モードフラグがＯＦＦ（解除）である場合、すなわち新たに再生モードフラグを実行する状態であると判断された場合、システム制御回路５０は、再生モードフラグを設定する（ステップＳ１０２３）。
【０２００】
尚、再生モードフラグの状態は、システム制御回路５０の内部メモリ或いはメモリ５２に記憶する。
【０２０１】
続いて、システム制御回路５０は、再生モードを実行するのに必要な所定の設定を行った後（ステップＳ１０２４）、ステップＳ１０８において読み出されてシステム制御回路５０の内部メモリ或いはメモリ５２に記憶された最終撮影番号Ｎｍａｘを読み出し（ステップＳ１０２５）、再生画像番号ＮをＮ＝Ｎｍａｘと設定して（ステップＳ１０２６）、次のステップＳ１０２７へと進む。
【０２０２】
尚、上記再生画像番号Ｎは、システム制御回路５０の内部メモリ或いはメモリ５２に記憶される。これにより、再生モードを実行した直後に、画像選択キーを用いて画像選択を行わなくても、最後に撮影した画像データを読み出して表示することが可能となり、利用者にとって便利である。
【０２０３】
ステップＳ１０２７では、システム制御回路５０は、再生モードフラグがＯＮであるか０ＦＦであるかを判断する。
この判断の結果、再生モードフラグがＯＮ（設定）である場合、後述する図１９のステップＳ１０８１へと進む。
【０２０４】
ステップＳ１０２７の判断の結果、再生モードフラグがＯＦＦ（解除）である場合、システム制御回路５０は、操作部７０に含まれるクイックレビューＯＮ／ＯＦＦスイッチの設定状態を調べる（ステップＳ１０２８）。
この結果、クイックレビューＯＮに設定されていた場合、システム制御回路５０はクイックレビューフラグを設定し（ステップＳ１０２９）、そうでない場合には、システム制御回路５０はクイックレビューフラグを解除する（ステップＳ１０３０）。
【０２０５】
尚、クイックレビューフラグの状態は、システム制御回路５０の内部メモリ或いはメモリ５２に記憶する。
【０２０６】
クイックレビューフラグの設定或いは解除の後、続いて、システム制御回路５０は、操作部７０に含まれる画像表示ＯＮ／ＯＦＦスイッチの設定状態を調べる（ステップＳ１０３１）。
【０２０７】
ステップＳ１０３１の結果、画像表示０Ｎに設定されていた場合、システム制御回路５０は、画像表示フラグを設定すると共に（ステップＳ１０３２）、画像表示部２８の画像表示をＯＮ状態に設定し（ステップＳ１０３３）、さらに撮像した画像データを逐次表示するスルー表示状態に設定して（ステップＳ１０３４）、次の図１７のステップＳ１０４１へと進む。
【０２０８】
尚、スルー表示状態に於いては、撮像素子１４、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【０２０９】
ステップＳ１０３１の結果、画像表示ＯＦＦに設定されていた場合、システム制御回５０は、画像表示フラグを解除すると共に（ステップＳ１０３５）、画像表示部２８の画像表示をＯＦＦ状態に設定して（ステップＳ１０３６）、次の図１７のステップＳ１４１へと進む。
【０２１０】
尚、画像表示ＯＦＦの場合は、画像表示部２８による電子ファインダー機能を使用せずに、光学ファインダー１０４を用いて撮影を行う。この場合、電力消費量の大きい画像表示部２８やＤ／Ａ変換器２６等の消費電力を削減することが可能となる。また、画像表示フラグの状態は、システム制御回路５０の内部メモリ或いはメモリ５２に記憶する。
【０２１１】
ステップＳ１０４１（図１７参照）では、システム制御回５０は、シャッタースイッチＳＷ１の状態を調べる。
この結果、シャッタースイッチＳＷ１が押されていない状態である場合、ステップＳ１００３に戻り（上記図１５参照）、システム制御回路５０は、再び、電源スイッチ６６の設定位置を判断する処理を実行する。
【０２１２】
ステップＳ１０４１の結果、シャッタースイッチＳＷｌが押された状態である場合、システム制御回路５０は、画像処理装置１００の姿勢状態を検出することにより、画像処理装置１００が横位置撮影或いは縦位置撮影のいずれの状態にあるかを検知して、撮影しようとする画像の状態に応じて画像姿勢フラグを設定する姿勢検知処理を実行する（ステップＳ１０４２）。
この姿勢検知処理の詳細については、上記図１３を用いて説明した通りである。
【０２１３】
上述のように、第１の実施の形態では、シャッタースイッチＳＷｌの状態の後、姿勢モードフラグの状態を判断したが、本実施の形態では、この姿勢モードフラグの状態の判断は行わずに、そのまま姿勢検知処理を実行する。これは、上記図１５に示した処理において、姿勢モードフラグに対する設定或いは解除処理を実行していないからである。
【０２１４】
ステップＳ１０４２の処理後は、上記図４のステップＳ１４４からの処理と同様の処理を実行する。
すなわち、システム制御回路５０は、システム制御回路５０の内部メモリ或いはメモリ５２に記憶される画像表示フラグの状態を判断する（ステップＳ１０４３）。
この判断の結果、画像表示フラグがＯＦＦ（解除）である場合、システム制御回路５０は、次のステップＳ１０４４はスキップして、そのままステップＳ１０４６へと進む。
【０２１５】
ステップＳ１０４３の判断の結果、画像表示フラグがＯＮ（設定）である場合、システム制御回路５０は、画像表示部２８の表示状態をフリーズ表示状態に設定して（ステップＳ１０４４）、次のステップＳ１０４５へと進む。
【０２１６】
尚、フリーズ表示状態に於いては、撮像素子１４、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。
【０２１７】
ステップＳ１０４５では、システム制御回路５０は、測距処理を行って、撮影レンズ１０の焦点を被写体に合わせ、測光処理を行って、絞り値及びシャッター時間を決定する。
【０２１８】
尚、測光処理に於いて、必要であればフラッシュの設定も行う。ここでの測距及び測光処理の詳細については、上記図７を用いて説明した通りである。
【０２１９】
測距及び測光処理の実行後、システム制御回路５０は、システム制御回路５０の内部メモリ或いはメモリ５２に記憶される画像表示フラグの状態を判断する（ステップＳ１０４６）。
この判断の結果、画像表示フラグがＯＦＦ（解除）である場合、システム制御回路５０は、次のステップＳ１０４７はスキップして、そのままステップＳ１０４８へと進む。
【０２２０】
ステップＳ１０４６の判断の結果、画像表示フラグがＯＮ（設定）である場合、システム制御回路５０は、画像表示部２８の表示状態をスルー表示状態に設定して（ステップＳ１０４７）、次のステップＳ１０４８へと進む。
【０２２１】
尚、ここでのスルー表示状態は、ステップＳ１０３４でのスルー状態と同じ動作状態である。
【０２２２】
ステップＳ１０４８では、システム制御回路５０は、シャッタースイッチＳＷ２の状態を調べる。
この結果、シャッタースイッチＳＷ２が押されていない場合、システム制御回路５０は、シャッタースイッチＳＷ１の状態を調べる（ステップＳ１０５７）。この結果、シャッタースイッチＳＷ１も押されていない場合、すなわちシャッタースイッチＳＷ２が押されずに、さらにシャッタースイッチＳＷｌをも解除された状態である場合、ステップＳ１００３（上記図１５参照）に戻り、システム制御回路５０は、再び、電源スイッチ６６の設定位置を判断する処理を実行する。
【０２２３】
ステップＳ１０４８の結果、シャッタースイッチＳＷ２が押されていた場合、システム制御回路５０は、システム制御回路５０の内部メモリ或いはメモリ５２に記憶される画像表示フラグの状態を判断する（ステップＳ１０４９）。
この判断の結果、画像表示フラグがＯＦＦ（解除）である場合、システム制御回路５０は、次のステップＳ１０５０はスキップして、そのまま図１８のステップＳ１０６１へと進む。
【０２２４】
ステップＳ１０４９の判断の結果、画像表示フラグがＯＮ（設定）である場合、システム制御回路５０は、画像表示部２８の表示状態を固定色表示状態に設定して（ステップＳ１０５０）、次の図１８のステップＳ１０６１へと進む。
【０２２５】
尚、固定色表示状態に於いては、撮像素子１４、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。
【０２２６】
ステップＳ１０６１（図１８参照）では、システム制御回路５０は、撮像素子１４、Ａ／Ｄ変換器１６、画像処理回路２０、メモリ制御回路２２を介して、或いはＡ／Ｄ変換器１６から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理、といった処理を含む撮影処理を実行する。
この撮影処理の詳細については、上記図８を用いて説明した通りである。
【０２２７】
続いて、システム制御回路５０は、ステップＳ１０４２の姿勢検知処理において設定した画像姿勢フラグを、ステップＳ１０６１での撮影処理においてメモリ３０に書き込んだ撮影画像データと関連付けて、システム制御回路５０の内部メモリ或いはメモリ５２に記憶する（ステップＳ１０６２）。
このように、ここでは、姿勢モードフラグは用いていないため、無条件に、撮影画像データと画像姿勢フラグの対応付けを行う。
【０２２８】
続いて、システム制御回路５０は、システム制御回路５０の内部メモリ或いはメモリ５２に記憶される画像表示フラグの状態を判断する（ステップＳ１０６３）。
この判断の結果、画像表示フラグがＯＮ（設定）である場合、システム制御回路５０は、次のステップＳ１０６４はスキップして、そのままステップＳ１０６５へと進む。
【０２２９】
ステップＳ１０６３の判断の結果、画像表示フラグがＯＦＦ（解除）である場合、システム制御回路５０は、システム制御回路５０の内部メモリ或いはメモリ５２に記憶されるクイックレビューフラグの状態を判断する（ステップＳ１０６４）。
この判断の結果、クイックレビューフラグがＯＮ（設定）である場合、次のステップＳ１０６５へと進み、そうでない場合には、次のステップＳ１０６５からの処理はスキップして、そのまま後述するステップＳ１０６９へと進む。
【０２３０】
ステップＳ１０６５では、システム制御回路５０は、画像処理装置１００の姿勢状態（具体的には撮像素子１４の姿勢状態）を検出することにより、画像処理装置１００が横位置撮影或いは縦位置撮影のいずれの状態にあるかを検知し、システム制御回路５０の内部メモリ或いはメモリ５２に記憶された、画像データに対応する画像姿勢フラグとの関係から、必要に応じて画像データに回転処理を行う画像姿勢対応処理を実行する。
ここでの画像姿勢対応処理の詳細については、上記図１４を用いて説明した通りである。
このように、ここでは、姿勢モードフラグは用いていないため、画像表示フラグがＯＮ（設定）である場合、或いは、画像表示フラグがＯＦＦ（解除）であってもクイックレビューフラグがＯＮ（設定）である場合には、無条件に、画像姿勢対応処理を行う。
【０２３１】
続いて、システム制御回路５０は、システム制御回路５０の内部メモリ或いはメモリ５２に記憶される画像表示フラグの状態を判断する（ステップＳ１０６６）。
この判断の結果、画像表示フラグがＯＮ（設定）である場合、システム制御回路５０は、次のステップＳ１０６７はスキップして、そのままステップＳ１０６８へと進む。
【０２３２】
ステップＳ１０６６の判断の結果、画像表示フラグがＯＦＦ（解除）である場合、システム制御回路５０は、ステップＳ１０６１での撮影処理によってメモリ３０に書き込まれ、ステップＳ１０６５での画像姿勢対応処理によって必要に応じて回転処理を行った画像データを読み出して、メモリ制御回路２２を介して画像表示メモリ２４に転送する表示画像処理を実行する（ステップＳ１０６７）。
この表示画像処理の詳細については、上記図９を用いて説明した通りである。
その後、次のステップＳ１０６８へと進む。
【０２３３】
ステップＳ１０６８では、システム制御回路５０は、クイックレビュー表示を行う。この場合、撮影中も画像表示部２８が電子ファインダーとして常に表示された状態であり、撮影直後のクイックレビュー表示も行われる。
【０２３４】
上述のように、省電力のために、或いは光学ファインダー１０４を用いて撮影を行うので電子ファインダー機能が不要であるために、画像表示部２８の画像表示をＯＦＦに設定していても、クイックレビュースイッチによりクイックレビュー機能が設定されていれば、撮影を行った直後に自動的に撮影画像を画像表示部２８に再生することが可能となり、省電力かつ撮影画像の確認に便利な機能を提供することが可能となる。
また、画像処理装置１００の姿勢状態を検知し、その検知した結果と撮影した画像に関連付けされた画像姿勢フラグとの関係から、必要に応じて画像データの回転処理を行った後に、クイックレビュー表示を行うことにより、画像処理装置１００の姿勢に応じた方向の画像データ表示を行うことが可能となる。
【０２３５】
また、画像表示フラグが解除され（ステップＳ１０６３参照）、クイックレビューフラグも解除されていたならば（ステップＳ１０６４参照）、画像表示部２８が０ＦＦの状態のままステップＳ１０６９に進むことになる。
この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法である。
【０２３６】
ステップＳ１０６９では、システム制御回路５０は、メモリ３０に書き込まれた撮影画像データを読み出して、メモリ制御回路２２そして必要に応じて画像処理回路２０を用いて各種画像処理を行い、また、圧縮／伸長回路３２を用いて設定したモードに応じた画像圧縮処理を行う。
この画像圧縮処理の詳細については、上記図１０を用いて説明した通りである。
【０２３７】
その後、システム制御回路５０は、インターフェース９０或いは９４、コネクタ９２或いは９６を介して、メモリカードやコンパクトフラッシュ（登録商標）カード等の記録媒体２００或いは２１０に対して、画像データの書き込みを行う記録処理を実行する（ステップＳ１０７０）。
【０２３８】
尚、画像表示部２８がＯＮの場合は、記録媒体２００或いは２１０へ画像データの書き込みを行っている間、書き込み動作中であることを明示する、例えば、「ＢＵＳＹ」等のメッセージ表示を画像表示部２８に対して行う。さらに、表示部５４において、例えば、ＬＥＤを点滅させる等の記録媒体書き込み動作表示も併せて行う。
【０２３９】
ステップＳ１０７０での記録処理の実行後、システム制御回路５０は、ステップＳ１０６２にて撮影画像データと関連付けてシステム制御回路５０の内部メモリ或いはメモリ５２に記憶した画像姿勢フラグを読み出し、その画像姿勢フラグを、インターフェース９０或いは９４、コネクタ９２或いは９６を介して、メモリカードやコンパクトフラッシュ（登録商標）カード等の記録媒体２００或いは２１０へ、対応する撮影画像データと関連付けて記録した後（ステップＳ１０７１）、上記図１７のステップＳ１０５１へと進む。
このように、ここでは、姿勢モードフラグは用いていないため、該姿勢モードフラグの状態判断無しに、画像姿勢フラグの記録を行う。
【０２４０】
ステップＳ１０５１からの処理（上記図１７参照）では、上記図４のステップＳ１５２からの処理と同様の処理を実行する。
すなわち、システム制御回路５０は、シャッタースイッチＳＷ２の状態を調べる（ステップＳ１０５１）。
この結果、シャッタースイッチＳＷ２が押された状態である場合、システム制御回路５０は、システム制御回路５０の内部メモリ或いはメモリ５２に記憶される連写フラグの状態を判断し（ステップＳ１０５２）、連写フラグがＯＮ（設定）されていたならば、連続して撮影を行うためにステップＳ１０６１（上記図１８参照）に戻り、次の撮影のための処理を実行する。また、連写フラグが設定されていないならば、システム制御回路５０は、シャッタースイッチＳＷ２が放されるまで（ＯＮ状態となるまで）、ステップＳ１０５１及びＳ１０５２の処理を繰り返す。
【０２４１】
上述のように、本実施の形態では、撮影直後にクイックレビュー表示を行う動作設定状態の場合、ステップＳ１０６９での画像姿勢フラグ記録処理が終了した際に、シャッタースイッチＳＷ２が押された状態であったならば、シャッタースイッチＳＷ２が放されるまで、画像表示部２８におけるクイックレビュー表示を継続するように構成してあるため、撮影画像の確認を入念に行うことができる。
【０２４２】
そして、シャッタースイッチＳＷ２が放された状態であった、或いは、シャッタースイッチＳＷ２を押し続けてクイックレビュー表示を継続して撮影画像の確認を行った後に、シャッタースイッチＳＷ２が放された状態であったならば、システム制御回路５０は、所定の時間（ミニマムレビュー時間）が経過した後に（ステップＳ１０５３）、次のステップＳ１０５４へと進む。このように、画像表示部２８におけるクイックレビュー表示を所定の時間（ミニマムレビュー時間）継続することにより、撮影画像の確認を確実に行うことを可能とすると共に、不必要に長時間クイックレビュー表示を継続して次の撮影チャンスを失うことを防止することができる。
【０２４３】
尚、上記ミニマムレビュー時間は、固定値としても、使用者が任意に設定することが可能としても、さらには所定の範囲内で使用者が任意に設定或いは選択することが可能としても、いずれの方法での設定可能な構成として構わない。
【０２４４】
ステップＳ１０５４では、システム制御回路５０は、画像表示フラグの状態を調べる。この結果、画像表示フラグがＯＮ（設定）である場合、システム制御回路５０は、画像表示部２８の表示状態をスルー表示状態に設定して（ステップＳ１０５５）、次のステップＳ１０５７へと進む。
この場合、画像表示部２８でのクイックレビュー表示によって撮影画像を確認した後に、次の撮影のために撮像した画像データを逐次表示するスルー表示状態にすることが出来る。
【０２４５】
また、画像表示フラグがＯＦＦ（解除）である場合、システム制御回路５０は、画像表示部２８の画像表示を０ＦＦ状態に設定して（ステップＳ１０５６）、次のステップＳ１０５７へと進む。
この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【０２４６】
ステップＳ１０５７では、システム制御回路５０は、シャッタースイッチＳＷ１の状態を調べる。この結果、シャッタースイッチＳＷ１が押された状態である場合、システム制御回路５０は、ステップＳ１０４８に戻って、次の撮影に備えるために、シャッタースイッチＳＷ２の状態を調べる処理を再び実行する。
また、シャッタースイッチＳＷ１が放された状態である場合、システム制御回路５０は、一連の撮影動作を終えて、ステップＳ１００３（上記図１５参照）に戻り、再び、電源スイッチ６６の設定位置を判断する処理を実行する。
【０２４７】
上述したステップＳ１０２７（上記図１６参照）の判断によって、再生モードフラグがＯＮ（設定）である場合、システム制御回路５０は、次の図１９のステップＳ１０８１からの処理を実行する。
【０２４８】
すなわち、先ず、システム制御回路５０は、システム制御回路５０の内部メモリ或いはメモリ５２に記憶された再生画像番号Ｎを読み出して、再生する画像データを設定した後（ステップＳ１０８１）、メモリカードやコンパクトフラッシュ（登録商標）カード等の記録媒体２００或いは２１０から、コネクタ９２或いは９６、インターフェース９０或いは９４を介して、再生画像番号Ｎに対応する画像データを読み出し、メモリ３０に記憶する、記録媒体読み出し処理を実行する（ステップＳ１０８２）。
ここでの記録媒体読み出し処理においては、メモリカードやコンパクトフラッシュ（登録商標）カード等の記録媒体２００或いは２１０から、コネクタ９２或いは９６、インターフェース９０或いは９４を介して、読み出した画像データに対応する画像姿勢フラグの読み出しも併せて行い、システム制御回路５０の内部メモリ或いはメモリ５２に記憶する。
【０２４９】
続いて、システム制御回路５０は、画像圧縮／伸長回路３２により、ステップＳ１８１にて読み出した画像データに対する画像伸長処理を行う（ステップＳ１０８３）。
この伸長処理の詳細については、上記図１１を用いて説明した通りである。
【０２５０】
続いて、システム制御回路５０は、画像処理装置１００の姿勢状態を検出することにより、画像処理装置１００が横位置撮影或いは縦位置撮影のいずれの状態にあるかを検知し、記録媒体より読み出した画像データに対応する画像姿勢フラグとの関係から、必要に応じて画像データに回転処理を行う画像姿勢対応処理を実行する（ステップＳ１０８４）。
このように、ここでは、姿勢モードフラグは用いていないため、該姿勢モードフラグの状態判断無しに、画像姿勢対応処理を行う。この画像姿勢対応処理の詳細については、上記図１４を用いて説明した通りである。
【０２５１】
続いて、システム制御回路５０は、ステップＳ１０８３での記録媒体読み出し処理によってメモリ３０に書き込まれ、ステップＳ１０８４での画像姿勢対応処理によって必要に応じて回転処理を行った画像データを読み出して、その画像データを、メモリ制御回路２２を介して画像表示メモリ２４に転送する、表示画像処理を実行する。
この表示画像処理の詳細については、上記図９を用いて説明した通りである。
【０２５２】
続いて、システム制御回路５０は、画像表示部２８の画像表示をＯＮ状態に設定し（ステップＳ１０８６）、ステップＳ１０８５にて転送した表示画像データを、画像表示メモリ２４から読み出して、メモリ制御回路２２、Ｄ／Ａ変換器２６を介して画像表示部２８により表示する（ステップＳ１０８７）。
【０２５３】
続いて、システム制御回路５０は、シャッタースイッチＳＷｌの状態を調べる。すなわち、再生画像を表示している際における、シャッタースイッチＳＷｌの状態を調べる（ステップＳ１０８８）。
【０２５４】
ステップＳ１０８８の結果、シャッタースイッチＳＷｌが放された状態である場合、システム制御回路５０は、再生画像選択処理を実行する（ステップＳ１０８９）。
この再生画像選択処理の詳細については、上記図１２を用いて説明した通りである。
【０２５５】
そして、システム制御回路５０は、ステップＳ１０８９での再生画像選択処理を実行終了後、ステップＳ１００３（上記図１５参照）に戻り、再び、電源スイッチ６６の設定位置を判断する処理を実行する。
【０２５６】
ステップＳ１０８８の結果、シャッタースイッチＳＷｌが押された状態である場合、すなわち再生画像を表示している際に、シャッタースイッチＳＷ１が押された状態である場合、システム制御回路５０は、システム制御回路５０の内部メモリ或いはメモリ５２に記憶された画像表示フラグの状態を判断する（ステップＳ１０９０）。
この判断の結果、画像表示フラグがＯＮ（設定）である場合、システム制御回路５０は、次のステップＳ１０９１はスキップして、そのままステップＳ１０９２へと進む。
【０２５７】
ステップＳ１０９０の判断の結果、画像表示フラグがＯＦＦ（解除）である場合、システム制御回路５０は、画像表示部２８の画像表示をＯＦＦ状態に設定して（ステップＳ１０９１）、その後、ステップＳ１０９２へと進む。
【０２５８】
ステップＳ１０９３では、システム制御回路５０は、再生モードフラグを解除する。そして、システム制御回路５０は、撮影モードを実行するのに必要な各種の設定を行い（ステップＳ１０９３）、その後、ステップＳ１００３（上記図１５参照）に戻り、再び、電源スイッチ６６の設定位置を判断する処理を実行する。
【０２５９】
上述のようなステップＳ１０８８からの処理により、画像再生を行っている際にＳＷ１が押されたならば、再生モードフラグを解除し、撮影モード実行に必要な所定の設定を行い、画像処理装置１００が速やかに撮影可能な状態とすることが可能となる。
【０２６０】
以上説明した様に、本実施の形態によれば、撮影動作する際に、カメラ姿勢検知部１０６によって検知した縦位置撮影姿勢或いは横位置撮影姿勢を示す画像姿勢フラグを、撮影して得られた画像データと対応付けして、該画集データと共に記録媒体２００或いは２１０に格納し、その画像データを再生する際に、それに対応付けられた画像姿勢フラグと現在のカメラ姿勢とが合致するか否かを判断し、その判断の結果、合致していないならば、該画像データに対して画像回転処理を行う。したがって、常に正しい方向（使用者にとって観察しやすい方向）で、画像データの表示がなされることになる。
【０２６１】
特に、本実施の形態においては、撮影する毎に、カメラ姿勢検知部１０６によって検知した縦位置撮影姿勢或いは横位置撮影姿勢を示す画像姿勢フラグを、画像データと対応付けて該画像データと共に自動的に記録媒体に格納し、撮影直後に、その撮影画像データを確認表示するクイックレビュー表示を行う際には、画像姿勢フラグが現在のカメラ姿勢と合致するかどうかを判断する処理を行わずに、メモリ３０に一時記憶した該撮影画像データを画像表示メモリ２４に転送し、そのまま表示部２８により表示し、一方、再生表示を行う際には、再生する撮影画像データに対応付けられて格納された画像姿勢フラグが、現在のカメラ姿勢と合致するかという判断に応じて、該撮影画像データに対して必要に応じて画像回転処理を行って、表示部２８によって表示する動作を自動的に行うようにした。これは、撮影直後に撮影画像データをクイックレビュー表示して確認する場合は、撮影時のカメラ姿勢がそのまま保たれている場合が多いためである。
したがって、本実施の形態においては、上述した第１の実施の形態とは異なり、一連の姿勢モード処理をクイックレビュー表示時には省くようにした。さらに、本実施の形態においては、姿勢モードスイッチの機能を省略することにより、撮影時及び再生時の一連の姿勢モード処理を必ず実行する形態として説明している。
【０２６２】
よって、本実施の形態での構成によっても、例えば、撮影時に画像処理装置をほぼ９０度傾けて縦位置として撮影を行って得た画像を、再生時に画像処理装置を元の横位置として画像処理装置背面に備えられた画像表示部にて再生表示する場合、画像の縦横が９０度異なってしまう、ということはない。また、撮影する毎に、カメラ姿勢検知部１９６によって検知した縦位置撮影姿勢或いは横位置撮影姿勢を示す画像姿勢フラグを自動的に保持する機能、及び或いは、撮影する毎に、カメラ姿勢検知部１０６によって検知した縦位置撮影姿勢或いは横位置撮影姿勢を示す画像姿勢フラグを画像データと対応付けて該画像データと共に自動的に記録媒体に格納する機能により、再生時には、保持及び或いは格納した画像姿勢フラグが現在のカメラ姿勢と合致するかという判断に応じて、再生する画像データを必要に応じて回転させ、表示部２８によって再生表示する動作を自動的に行うことにより、例えば、撮影直後に撮影した画像を再生表示する場合に、タグ情報等の設定がまだ行われていないため、画像処理装置背面に備えられた画像表示部にて再生表示すると、画像の縦横が９０度異なってしまう、ということはない。
すなわち、本実施の形態によっても、第１の実施の形態と同様に、従来からの撮影画像の確認に不便であった等という問題を解決することができ、操作性を向上させた画像処理装置１００を提供することができる。
【０２６３】
尚、第１及び第２の実施の形態では、上記図４のステップＳ１４１（第２の実施の形態では上記図１７のステップＳ１０４１）において、シャッタースイッチＳＷ１が押されたと判断され、その後のステップＳ１４３（第２の実施の形態ではステップＳ１０４２）において、姿勢検知処理を行うようにしたが、例えば、ステップＳ１４９（第２の実施の形態ではステップＳ１０４８）において、シャッタースイッチＳＷ２が押されたと判断された後に、姿勢検知処理を行っても構わない。或いは、上記図５のステップＳ１６１（第２の実施の形態では上記図１８のステップＳ１０６１）において、撮影処理が行われた後に、姿勢検知処理を行っても構わない。
このような構成としても、第１及び第２の実施の形態と同様に、撮影画像と画像姿勢フラグを対応付けて保持及び或いは記録媒体に格納することが可能である。
【０２６４】
また、第１及び第２の実施の形態でのそれぞれの構成を組み合わせた構成としても構わない。例えば、姿勢モードスイッチ６８による姿勢モードの設定／解除を可能とした上で、クイックレビュー表示時の姿勢モード動作を省略する構成としてもよい。
【０２６５】
また、第１及び第２の実施の形態においては、姿勢検知部１０６で、自動的に姿勢を検知するようにしていたが、使用者によって姿勢を示す信号を入力するように構成するようにしてもよい。
例えば、縦構図撮影姿勢に好適な位置のスイッチと横構図撮影姿勢に好適な位置のスイッチを設けておき、どちらのスイッチで操作するかに応じて、画像処理装置の姿勢を示す信号として認識するようにしてもよい。
【０２６６】
また、上記図１の画像処理装置１００に対して、例えば、ビデオ出力部（図示せず）を更に設けるようにしてもよい。この場合、撮影画像データの再生時には、再生する撮影画像データに対応付けられた画像姿勢フラグと、検知したカメラ姿勢との合致状況を判断し、その判断結果に応じて再生する画像データを画像回転した後に、その画像データを画像表示部２８に表示する。一方、ビデオ出力部に対して出力する画像データについては、そのビデオ出力部の接続先であるモニタテレビ等は常に水平状態に設置されているため、カメラ姿勢が横撮影位置状態にあるとして、再生する画像データに対して画像回転処理を行った後、その画像データをビデオ出力部に対して出力するようにすればよい。
【０２６７】
また、第１及び第２の実施の形態においては、画像姿勢対応処理（上記図１４参照）において、ステップＳ９０５にて画像回転処理を行うものとしたが、第1の実施の形態での変倍処理を行う際に、画像表示部２８及び撮像素子１４のそれぞれのアスペクト比に応じて、画像回転処理と共に、必要な拡大処理或いは縮小処理を行うようにしてもよい。例えば、画像のアスペクト比と、表示装置のアスペクト比を比較して、画像全体が表示でき、且つもっとも大きく画像を生じ出来るように変倍率を変更する用にしてもよい。これにより、画像データを回転した後に、画像表示部２８における画像の表示状態が、例えば、画像が欠けてしまう、といった問題を防止することが可能となる。
【０２６８】
また、第１及び第２の実施の形態においては、画像表示部２８をＯＦＦする場合には、画像表示部２８を構成する全ての要素をＯＦＦするものとしたが、例えば、画像表示部２８の要素の一部をＯＦＦするようにしてもよい。例えば、画像表示部２８がＬＣＤとバックライトから構成されている場合、ＬＣＤがＯＮの状態のまま、バックライトのみを０ＦＦするようにしてもよい。
【０２６９】
また、上記図１の画像処理装置１００を、スルー表示とクイックレビュー表示を行うそれぞれ専用の画像表示部を備える構成として、それらの表示部のＯＮ／０ＦＦを、画像表示ＯＮ／ＯＦＦスイッチ及びクイックレビュー０Ｎ／ＯＦＦスイッチの設定に応じて行う構成としても構わない。或いは、画像表示ＯＮ／ＯＦＦスイッチとクイックレビュー０Ｎ／ＯＦＦスイッチを備えない構成であっても、或いは、画像表示ＯＮ／ＯＦＦスイッチとクイックレビュー０Ｎ／ＯＦＦスイッチの何れかを備えない構成であっても、いずれの構成でも構わない。
【０２７０】
また、上記図１の画像処理装置１００が備える記録媒体２００及び２１０を、ＰＣＭＣｌＡカードやコンパクトフラッシュ（登録商標）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成するようにしてもよい。また、記録媒体２００及び２１０を、メモリカードとハードディスク等が一体となっ複合媒体で構成するようにしてもよい。さらには、その複合媒体から、その一部が着脱可能な構成とするようにしても構わない。
【０２７１】
また、第１及び第２の実施の形態では、記録媒体２００及び２１０が、画像処理装置１００と分離しており任意に接続可能なものとしたが、これに限られることはなく、例えば、それらのいずれか或いは全ての記録媒体が、画像処理装置１００に固定したままの状態である構成としてもよい。また、画像処理装置１００に対して、記録媒体２００或いは２１０が、単数或いは複数の任意の個数接続可能な構成であっても構わない。
【０２７２】
また、第１及び第２の実施の形態では、画像処理装置１００に対して、記録媒体２００及び２１０が装着される構成としたが、その記録媒体が単数或いは複数の何れの組み合わせの構成であっても、勿論構わない。
【０２７３】
また、本発明の目的は、第１及び第２の実施の形態でのホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
この場合、記憶媒体から読み出されたプログラムコード自体が第１及び第２の実施の形態の機能を実現することとなり、そのプログラムコードを記憶した記憶媒体は本発明を構成することとなる。
プログラムコードを供給するための記憶媒体としては、ＲＯＭ、フロッピー（登録商標）ディスク、ハードディスク、光ディスク、光磁気ディスク、ＣＤ−ＲＯＭ、ＣＤ−Ｒ、磁気テープ、不揮発性のメモリカード等を用いることができる。
また、コンピュータが読みだしたプログラムコードを実行することにより、第１及び第２の実施の形態の機能が実現されるだけでなく、そのプログラムコードの指示に基づき、コンピュータ上で稼動しているＯＳ等が実際の処理の一部又は全部を行い、その処理によって第１及び第２の実施の形態の機能が実現される場合も含まれることは言うまでもない。
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって第１及び第２の実施の形態の機能が実現される場合も含まれることは言うまでもない。
【０２７４】
また、本発明は、第１及び第２の実施の形態に限るものではなく、クレームに示した範囲で種々の変形が可能である。
【０２７５】
また、上述した本発明の実施の形態では、少なくとも次の（１）〜（７）を目的としている。
（１）画像処理装置の撮影時の姿勢に応じた撮影画像データを、使い勝手良く再生又は表示させることができるようにする。
（２）再生時の画像処理装置の姿勢に応じて、使い勝手良く再生又は表示させることができるようにする。
（３）画像データの撮影時姿勢状態情報と、再生時の画像処理装置の姿勢状態情報とに応じて、適切に再生又は表示させることができるようにする。
（４）姿勢状態情報に応じた処理を行うか行わないかを、使用者に選択できるようにする。
（５）撮影直後においても、画像処理装置の撮影時の姿勢に応じた撮影画像データを、使い勝手良く再生又は表示させることができるようにする。
（６）撮影直後においても、再生時の画像処理装置の姿勢に応じて、使い勝手良く再生又は表示させることができるようにする。
（７）画像データの撮影時姿勢状態情報と、再生時の画像処理装置の姿勢状態情報とに応じて、適切に再生又は表示させることができるようにする。
【０２７６】
そして、本発明の実施の形態によれば、撮影時及び再生時の画像処理装置の姿勢状態を示す情報を入力する姿勢情報入力手段と、当該姿勢情報入力手段により入力された撮影時の姿勢状態情報を、当該撮影によって得られた撮影画像データと共に記録媒体に記録する記録手段と、当該記録媒体に記録された撮影画像データに対して画像回転処理を行う画像回転手段と、上記記録媒体に記録された撮影画像データに対して画像変倍処理を行う画像変倍手段と、上記姿勢情報入力手段により入力された再生時の姿勢状態情報、及び上記記録媒体に記録された撮影時姿勢状態情報に基づいて、当該撮影時姿勢状態情報と共に上記記録媒体に記録された撮影画像データの変倍処理と回転処理とを制御して再生処理を行う再生手段とを有する画像処理装置が開示される。
【０２７７】
また、撮影時及び再生時の画像処理装置の姿勢状態を検知する姿勢検知手段と、上記姿勢検知手段により得られた撮影時の姿勢状態情報を、当該撮影によって得られた撮影画像データと共に記録媒体に記録する記録手段と、当該記録媒体に記録された撮影画像データに対して画像回転処理を行う画像回転手段と、上記記録媒体に記録された撮影画像データに対して画像変倍処理を行う画像変倍手段と、上記姿勢検知手段により得られた再生時の姿勢状態情報、及び上記記録媒体に記録された撮影時姿勢状態情報に基づいて、当該撮影時姿勢状態情報と共に上記記録媒体に記録された撮影画像データの変倍処理と回転処理とを制御して再生処理を行う再生手段とを有する画像処理装置が開示される。
【０２７８】
上記の構成により、画像処理装置の撮影時の姿勢に応じた撮影画像データを、使い勝手良く再生又は表示させることができる。また、再生時の画像処理装置の姿勢に応じて、使い勝手良く再生又は表示させることができる。
【０２７９】
本発明の好ましい実施の形態によれば、上記画像処理装置の構成に加えて、姿勢検知手段により得られた再生時の姿勢状態情報と、上記記録媒体に記録された撮影時姿勢状態情報とが合致するか否かを判定する判定手段と、当該判定手段での判定結果に基づいて、上記記録媒体に記録された撮影画像データ、及び上記記録媒体に記録された撮影画像データを上記再生手段により制御された当該撮影画像データの何れかを表示手段に表示させる表示制御手段とを有することを特徴とする画像処理装置が開示される。
【０２８０】
上記の構成により、画像データの撮影時姿勢状態情報と、再生時の画像処理装置の姿勢状態情報とに応じて、適切に再生又は表示させることができる。
【０２８１】
本発明の好ましい実施の形態によれば、上記画像処理装置の構成に加えて、上記記録手段及び上記再生手段において、上記姿勢検知手段により得られる姿勢状態情報に基づいた処理を行うか否かの動作モードを設定するモード設定手段を更に備えることを特徴とする画像処理装置が開示される。
【０２８２】
上記の構成により、姿勢状態情報に応じた処理を行うか行わないかを、使用者に選択できる。
【０２８３】
本発明の好ましい実施の形態によれば、撮像手段と、当該撮像手段からの撮像画像データ又は再生中の画像データを表示する表示手段と、上記撮像手段（画像処理装置）の姿勢状態を示す情報を入力する姿勢情報入力手段と、当該姿勢情報入力手段により入力された上記撮像手段の姿勢状態情報と共に、上記撮像手段で撮像した画像を記録媒体に記録する記録手段と、当該記録媒体から読み込んだ画像を再生する再生モードにおいては、上記姿勢状態情報に応じて、読み込んだ画像を回転させて上記表示手段に表示し、撮影直後所定時間の間、撮影した画像を表示状態にしておくクイックレビューモードにおいては、上記姿勢状態情報に関わらず、画像を回転させずに表示させるよう制御する表示制御手段が開示される。
【０２８４】
また、撮像手段と、当該撮像手段からの撮像画像データまたは再生中の画像データを表示する表示手段と、上記撮像手段（画像処理装置）の姿勢状態を検知する姿勢検知手段と、当該姿勢検知手段で検知した上記撮像手段の姿勢状態情報と共に、上記撮像手段で撮像した画像を記録媒体に記録する記録手段と、当該記録媒体から読み込んだ画像を再生する再生モードにおいては、上記姿勢状態情報に応じて、読み込んだ画像を回転させて上記表示手段に表示し、撮影直後所定時間の間、撮影した画像を表示状態にしておくクイックレビューモードにおいては、上記姿勢状態情報に関わらず、画像を回転させずに表示させるよう制御する表示制御手段とを有することを特徴とする画像処理装置が開示される。
【０２８５】
上記の構成により、撮影直後においても、画像処理装置の撮影時の姿勢に応じた撮影画像データを、使い勝手良く再生又は表示させることができる。また、撮影直後においても、再生時の画像処理装置の姿勢に応じて、使い勝手良く再生又は表示させることができる。
【０２８６】
本発明の好ましい実施の形態によれば、上記画像処理装置の構成に加えて、上記姿勢検知手段により得られた再生時の姿勢状態情報と、上記記憶手段に記憶された撮影時姿勢状態情報とが合致するか否かを判定する判定手段と、当該判定手段での判定結果に基づいて、上記撮影時姿勢状態情報と関連付けられて上記記憶手段に記憶された撮影画像データに対して画像回転処理を行う画像回転手段とを有し、上記表示制御手段は、上記判定手段での判定結果に基づいて、上記記憶手段に記憶された撮影画像データ、及び上記記憶手段に記憶された撮影画像データが上記画像回転手段により画像回転処理された該撮影画像データの何れかを表示するよう制御する画像処理装置が開示される。
【０２８７】
上記の構成により、画像データの撮影時姿勢状態情報と、再生時の画像処理装置の姿勢状態情報とに応じて、適切に再生又は表示させることができる。
【０２８８】
以上、まとめると本発明の実施の形態では、撮影時においては、撮影時の撮像手段の姿勢状態（撮像手段が設けられている装置又はシステムの姿勢状態）を検知し、その検知結果（撮影時姿勢状態情報）を、その撮影時に得られた撮影画像データと共に記録媒体に記録又は記憶手段に記憶する。この撮影画像データを再生するときには、このときの撮像手段の姿勢状態を検知し、その検知結果（再生時姿勢状態情報）と、上記撮影画像データと共に記録又は記憶された撮影時姿勢状態情報とが合致しているか否かを判定する。
この判定の結果が、それぞれの情報が合致していなかった場合には、上記撮影画像データが正しい方向で表示されるように、上記撮影画像データに対して画像回転処理や画像変倍処理を行う。このように、本発明では、再生時において、撮影画像データを表示する際には、当該撮影画像データが常に正しい方向（撮影画像を表示手段で表示して観察する使用者にとって確認しやすい方向）に表示されるように構成した。
これにより、例えば、撮影時に画像処理装置をほぼ９０度傾けて縦位置として撮影を行って得た撮影画像を、再生時に画像処理装置を元の横位置として画像処理装置背面に備えられた表示手段にて再生表示する場合、撮影画像が９０度回転されて表示手段に表示されるため、従来のように撮影画像の縦横が９０度異なるということはない。
【０２８９】
また、撮影画像の確認時（撮影直後の確認時）においても、そのときの撮像手段の姿勢状態を検知し、その検知結果（確認時姿勢状態情報）と、撮影時に検知された撮像手段の姿勢状態とが合致しているか否かを判定し、この判定の結果、それぞれの情報が合致していなかった場合には、撮影画像データが正しい方向で表示（撮影直後の確認のための表示）されるように画像回転処理や画像変倍処理を行うように構成すれば、撮影直後であっても、撮影画像データを常に正しい方向に表示することができる。
【０２９０】
また、画像の回転処理と共に変倍処理を行うようにすれば、回転処理したために画像の一部分が表示されなくなるというような不都合を防ぐことができる。
【０２９１】
また、記録媒体から読み込んだ画像を再生する再生モードにおいては、姿勢状態情報に応じて、読み込んだ画像を回転させて表示し、撮影直後所定時間の間、撮影した画像を表示状態にしておくクイックレビューモードにおいては、姿勢状態情報に関わらず、画像を回転させずに表示するように構成した場合、処理の簡略化及び節電を図ることができ、撮影姿勢がかわらないため、ユーザが所望する撮影ができなかった場合等の撮りなおしをスムーズに行える。
【０２９２】
よって、本発明の実施の形態によれば、撮影画像を常に良好な状態で観察することができ、これは使用者にとって非常に有効である。
【０２９３】
また、上述のように画像処理装置の姿勢を検知するようにするのは、自動的に姿勢を検知して、自動的に姿勢情報を画像とともに記録するようにすることが可能であり、使用者の操作を省略するためにとても有効である。
しかし、使用者がカメラの姿勢情報を入力するような構成にしたとしても、画像処理装置の撮影時の姿勢に応じた撮影画像データを、使い勝手良く再生または表示させることができることはいうまでもない。
【図面の簡単な説明】
【０２９４】
【図１】第１の実施の形態において、本発明を適用した画像処理装置の構成を示すブロック図である。
【図２】上記画像処理装置でのメイン処理（スタート〜Ｂ）を説明するためのフローチャートである。
【図３】上記メイン処理（Ｂ〜Ｃ）を説明するためのフローチャートである。
【図４】上記メイン処理（Ｃ〜Ｅ）を説明するためのフローチャートである。
【図５】上記メイン処理（Ｅ〜Ｆ）を説明するためのフローチャートである。
【図６】上記メイン処理（Ｇ〜Ａ）を説明するためのフローチャートである。
【図７】上記メイン処理の測距及び測光処理を説明するためのフローチャートである。
【図８】上記メイン処理の撮影処理を説明するためのフローチャートである。
【図９】上記メイン処理の表示画像処理を説明するためのフローチャートである。
【図１０】上記メイン処理の圧縮処理を説明するためのフローチャートである。
【図１１】上記メイン処理の伸長処理を説明するためのフローチャートである。
【図１２】上記メイン処理の再生画像選択処理を説明するためのフローチャートである。
【図１３】上記メイン処理の姿勢検知処理を説明するためのフローチャートである。
【図１４】上記メイン処理の画像姿勢対応処理を説明するためのフローチャートである。
【図１５】第２の実施の形態において、上記画像処理装置でのメイン処理（スタート〜Ｂ）を説明するためのフローチャートである。
【図１６】上記メイン処理（Ｂ〜Ｃ）を説明するためのフローチャートである。
【図１７】上記メイン処理（Ｃ〜Ｅ）を説明するためのフローチャートである。
【図１８】上記メイン処理（Ｅ〜Ｆ）を説明するためのフローチャートである。
【図１９】上記メイン処理（Ｇ〜Ａ）を説明するためのフローチャートである。
【符号の説明】
【０２９５】
１０  撮影レンズ
１２  シャッター
１４  撮像素子
１６  A/D変換器
１８  タイミング発生回路
２０  画像処理回路
２２  メモリ制御回路
２４  画像表示メモリ
２６  D/A変換器
２８  画像表示部
３０  メモリ
３２  画像圧縮／伸長回路
４０  露光制御回路
４２  測距制御回路
４４  ズーム制御部
４６  バリア制御回路
４８  フラッシュ
５０  システム制御回路
５２  メモリ
５４  表示部
５６  不揮発性メモリ
６０  モードダイアルスイッチ
６２  シャッタースイッチSW1
６４  シャッタースイッチSW２
６６  再生モードスイッチ
６８  姿勢モードスイッチ
７０  操作部
７２  電源スイッチ
８０  電源制御部
８２  コネクタ
８４  コネクタ
８６  電源部
９０  インターフェース
９２  コネクタ
９４  インターフェース
９６  コネクタ
９８  記録媒体着脱検知部
１００  画像処理装置
１０２  バリア
１０４  光学フィルタ
１０６  カメラ姿勢検知部
１１０  通信部
１１２  コネクタ
２００  記録媒体
２０２  記録部
２０４  インターフェース
２０６  コネクタ
２１０  記録媒体
２１２  記録部
２１４  インターフェース
２１６  コネクタ
【図１】
2005065339.tif 000003
【図２】
2005065339.tif 000004
【図３】
2005065339.tif 000005
【図４】
2005065339.tif 000006
【図５】
2005065339.tif 000007
【図６】
2005065339.tif 000008
【図７】
2005065339.tif 000009
【図８】
2005065339.tif 000010
【図９】
2005065339.tif 000011
【図１０】
2005065339.tif 000012
【図１１】
2005065339.tif 000013
【図１２】
2005065339.tif 000014
【図１３】
2005065339.tif 000015
【図１４】
2005065339.tif 000016
【図１５】
2005065339.tif 000017
【図１６】
2005065339.tif 000018
【図１７】
2005065339.tif 000019
【図１８】
2005065339.tif 000020
【図１９】
2005065339.tif 000021